(57)【要約】【課題】複数列のリールを回転駆動させ停止させたときの図柄組合せで当否抽選の結果を示す遊技機において、リールの適切な加速制御を実行する。【解決手段】弾球遊技機は、リールの回転始動時の加速制御を定め、第１の加速制御パターンおよびリールが停止した状態から所定の回転速度に至るまでの到達時間が第１の加速制御パターンより遅い第２の加速制御パターンを記憶する加速制御パターン記憶手段と、当否抽選の結果に応じて動作パターンを決定するリール動作決定手段と、リール動作決定手段により決定された動作パターンがリールを一時的に停止させる動作を含む場合に、リールが振動していると推定される第１停止状態またはリールの振動が所定値以下に収まると推定される第２停止状態であるかを判定する停止状態判定手段と、リール動作決定手段により決定された動作パターンにしたがってリールの回転および停止を制御するリール制御手段と、を備える。【選択図】図１７
2013172794.tif 000002
【特許請求の範囲】
【請求項１】
遊技領域が形成された遊技盤と、
前記遊技領域の所定位置に設けられ、遊技球の入球が当否抽選の契機となる始動口と、
前記遊技領域の所定位置に設けられて前記当否抽選の結果に応じて開放され、遊技球の入球が賞球
払い出しの契機となる大入賞口と、
前記始動口への入球を契機として前記当否抽選を実行する当否抽選手段と、
外周にそって所定規則による間隔にて複数の図柄が配された複数列のリールを有し、その複数列のリールの各々が回転駆動されることにより所定の有効ライン上において図柄が変動表示された後、その複数列のリールが停止されたときに前記有効ライン上に停止表示される図柄の組合せにより前記当否抽選の結果を示す図柄表示装置と、
前記リールを動作させる時間を定めた前記リールの動作パターンを記憶する動作パターン記憶手段と、
前記リールの回転始動時の加速制御を定め、第１の加速制御パターンおよび前記リールが停止した状態から所定の回転速度に至るまでの到達時間が前記第１の加速制御パターンより遅い第２の加速制御パターンを記憶する加速制御パターン記憶手段と、
前記当否抽選の結果に応じて前記動作パターンを決定するリール動作決定手段と、
前記リール動作決定手段により決定された前記動作パターンが前記リールを一時的に停止させる動作を含む場合に、前記リールが振動していると推定される第１停止状態または前記リールの振動が所定値以下に収まると推定される第２停止状態であるかを判定する停止状態判定手段と、
前記リール動作決定手段により決定された前記動作パターンにしたがって前記リールの回転および停止を制御するリール制御手段と、を備え、
前記リール制御手段は、前記リール動作決定手段により決定された前記動作パターンが前記リールを一時的に停止させる動作を含むとき、前記リールが前記第１停止状態である場合、前記第２の加速制御パターンにより前記リールの回転始動動作を制御し、前記リールが前記第２停止状態である場合、前記第１の加速制御パターンにより前記リールの回転始動動作を制御することを特徴とする弾球遊技機。
【請求項２】
前記停止状態判定手段は、前記リールの停止時間が所定の基準時間未満である場合に、前記リールが前記第１停止状態であると判定することを特徴とする請求項１に記載の弾球遊技機。
【請求項３】
遊技者の操作入力を受け付ける操作入力装置をさらに備え、
前記リール制御手段は、前記操作入力装置が操作入力を受け付けたことに応じて前記リールの回転を一時的に停止させ、
前記操作入力装置における操作入力によって前記リールが一時停止する期間は可変であり、
前記停止状態判定手段は、前記リールが一時停止する期間を算出し、前記算出した期間をもとに前記第１停止状態または前記第２停止状態であるかを判定することを特徴とする請求項１または２に記載の弾球遊技機。
【発明の詳細な説明】
【技術分野】
【０００１】
本発明は、ぱちんこ遊技機等の弾球遊技機に関し、特に複数列のリールを回転駆動させ停止させたときの図柄組み合わせで当否抽選の結果を示す弾球遊技機に関する。
【背景技術】
【０００２】
従来、各種の弾球遊技機のうち、いわゆる第１種ぱちんこ遊技機と呼ばれていた遊技機は、遊技盤の略中央に設けられた表示装置の表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当りと呼ばれる特別遊技へと移行するものとして知られている。近年ではそのような複数列の図柄変動を表示させるための表示装置として液晶ディスプレイで構成されるものが主流となっているが、複数列のリールの周面にそって複数の図柄が配され、各リールがステッピングモータ等の駆動手段によって個々に回転駆動されるドラム回転式の表示装置を備える遊技機も存在する（例えば、特許文献１および２参照）。この種の遊技機では、その複数列のリールが停止されたときに予め定める有効ライン上に停止される図柄の組合せにより当否抽選結果が示される。
【先行技術文献】
【特許文献】
【０００３】
【特許文献１】特開２００２−６５９９５号公報
【特許文献２】特開２００９−１１９１４０号公報
【発明の概要】
【発明が解決しようとする課題】
【０００４】
ところで、液晶ディスプレイの表示装置を用いた弾球遊技機において、当否抽選の結果を示す図柄の変動演出中に図柄を一時停止させるものがある。ドラム回転式の弾球遊技機では、図柄を一時停止するためにステッピングモータにより回転中のリールを停止し、再始動させる制御が実行された場合、リールを停止したときにリールが振動する。ドラム回転式の弾球遊技機において、リールの振動が大きい停止状態のままリールを急加速した場合に、モータの特性を越える負荷が与えられると、モータが脱調する可能性がある。
【０００５】
本発明はこのような問題に鑑みてなされたものであり、その主たる目的は、複数列のリールを回転駆動させ停止させたときの図柄組合せで当否抽選の結果を示す遊技機において、モータに適切な加速制御を行うことにある。
【課題を解決するための手段】
【０００６】
上記課題を解決するために、本発明のある態様の弾球遊技機は、遊技領域が形成された遊技盤と、遊技領域の所定位置に設けられ、遊技球の入球が当否抽選の契機となる始動口と、遊技領域の所定位置に設けられて当否抽選の結果に応じて開放され、遊技球の入球が賞球払い出しの契機となる大入賞口と、始動口への入球を契機として当否抽選を実行する当否抽選手段と、外周にそって所定規則による間隔にて複数の図柄が配された複数列のリールを有し、その複数列のリールの各々が回転駆動されることにより所定の有効ライン上において図柄が変動表示された後、その複数列のリールが停止されたときに有効ライン上に停止表示される図柄の組合せにより当否抽選の結果を示す図柄表示装置と、リールを動作させる時間を定めたリールの動作パターンを記憶する動作パターン記憶手段と、リールの回転始動時の加速制御を定め、第１の加速制御パターンおよびリールが停止した状態から所定の回転速度に至るまでの到達時間が第１の加速制御パターンより遅い第２の加速制御パターンを記憶する加速制御パターン記憶手段と、当否抽選の結果に応じて動作パターンを決定するリール動作決定手段と、リール動作決定手段により決定された動作パターンがリールを一時的に停止させる動作を含む場合に、リールが振動していると推定される第１停止状態またはリールの振動が所定値以下に収まると推定される第２停止状態であるかを判定する停止状態判定手段と、リール動作決定手段により決定された動作パターンにしたがってリールの回転および停止を制御するリール制御手段と、を備える。このリール制御手段は、リール動作決定手段により決定された動作パターンがリールを一時的に停止させる動作を含むとき、リールが第１停止状態である場合、第２の加速制御パターンによりリールの回転始動動作を制御し、リールが第２停止状態である場合、第１の加速制御パターンによりリールの回転始動動作を制御する。
【０００７】
なお、以上の構成要素に関する任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【０００８】
本発明の弾球遊技機によれば、複数列のリールを回転駆動させ停止させたときの図柄組合せで当否抽選の結果を示す遊技機において、モータに適切な加速制御を行うことができる。
【図面の簡単な説明】
【０００９】
【図１】ぱちんこ遊技機の前面側における基本的な構造を示す図である。
【図２】ぱちんこ遊技機の背面側における基本的な構造を示す図である。
【図３】本実施形態におけるぱちんこ遊技機の機能ブロックを示す図である。
【図４】当否判定テーブルを模式的に示す図である。
【図５】事前当否判定で参照される事前当否判定テーブルを模式的に示す図である。
【図６】事前図柄判定で参照される事前図柄判定テーブルを模式的に示す図である。
【図７】変動パターンテーブルを模式的に示す図である。
【図８】加速制御パターンテーブルを示す図である。
【図９】加速制御パターンを説明する説明図である。
【図１０】（ａ）は、リールユニットの斜視図であり、（ｂ）は、リールユニットを構成するリール装置の斜視図である。
【図１１】リール装置の分解斜視図である。
【図１２】リールユニットの構成を表す説明図である。
【図１３】位置検出センサによる検出方法を示す模式図である。
【図１４】各リールにおける図柄の配列と図柄番号との対応関係を示す説明図である。
【図１５】図柄の表示領域および有効ラインを示す図である。
【図１６】大当り種類と、有効ラインや表示領域全体での図柄の停止態様との対応関係を示す図である。
【図１７】（ａ）は、通常加速パターンの制御の過程を示す説明図であり、（ｂ）は、低加速パターンの制御の過程を示す説明図である。
【図１８】操作入力に応じて切り替えられる加速制御の過程を示す説明図である。
【図１９】ぱちんこ遊技機における基本的な動作過程を示すフローチャートである。
【図２０】図１９におけるＳ１０の入賞処理を詳細に示すフローチャートである。
【図２１】図２０におけるＳ２８の事前判定処理を詳細に示すフローチャートである。
【図２２】図１９におけるＳ１４の通常遊技制御処理の全体的な過程を示すフローチャートである。
【図２３】図２２におけるＳ７６の停止状態判定処理を示すフローチャートである。
【図２４】図２２におけるＳ６４のリール２０６の変動表示処理を示すフローチャートである。
【図２５】図１９におけるＳ１６の特別遊技制御処理を詳細に示すフローチャートである。
【図２６】図２５におけるＳ１００の開放処理を詳細に示すフローチャートである。
【図２７】図２５におけるＳ１０２の閉鎖処理を詳細に示すフローチャートである。
【図２８】図１９におけるＳ１７の小当り遊技制御処理を詳細に示すフローチャートである。
【図２９】図２８におけるＳ１６０の開放処理を詳細に示すフローチャートである。
【図３０】図２８におけるＳ１６２の閉鎖処理を詳細に示すフローチャートである。
【発明を実施するための形態】
【００１０】
本実施形態のぱちんこ遊技機は、従来にいう第１種ぱちんこ遊技機に相当する遊技性を有し、その遊技性を実現するために始動入賞口、特別図柄表示装置、保留ランプ、リールユニットを備える。すなわち、このぱちんこ遊技機は、いわゆるドラム回転式の表示装置を備え、その表示装置が、周面に図柄が配された複数列のリールと、各リールを個々に駆動可能なモータとを含むリールユニットとして構成されている。遊技球が始動入賞口に入球すると、当否抽選が実行され、その当否抽選の結果が「大当り」であった場合、大入賞口が開閉を繰り返す特別遊技が開始される。大入賞口が開放されて遊技球が入球すると、その都度所定数の賞球が払い出されることで遊技者は大きな利益を獲得できる。当否抽選の結果は、３つの図柄の組合せで表示される。
【００１１】
図１は、ぱちんこ遊技機の前面側における基本的な構造を示す。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１２】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等をする機構を有する。下球皿１６は、遊技球の貯留、抜き取り等の機構を有する。上球皿１５と下球皿１６の間にはスピーカ１８が設けられており、後述する演出を制御する手段によって遊技状態などに応じた効果音が出力される。
【００１３】
遊技盤５０は、外レール５４と内レール５６により区画された遊技領域５２上に、アウト口５８、リールユニット６０、始動入賞口（以下、「始動口」という）６２、センター飾り６４、大入賞口６６、作動口６８、一般入賞口７２を含む。さらに遊技領域５２には、図示しない複数の遊技釘や風車などの機構が設置される。
【００１４】
始動口６２は、遊技球の入球が当否抽選を実行する契機となる入球口であって、遊技球の入球を検出するための始動入賞検出装置７４と、始動口６２に設けられた拡開機構６３（いわゆる電動チューリップ）を拡開させるための普通電動役物ソレノイド７６を備える。拡開機構６３は、始動口６２の開口部上部に設けられた二つの羽根部材で構成され、閉鎖時は始動口６２の真上から落下する遊技球だけが入球できる程度の狭い開口幅となる。一方、拡開機構６３が拡開された開放時は始動口６２の開口幅が拡がることとなり、始動口６２の真上だけでなくその近傍を落下する遊技球も始動口６２へ誘導でき入球容易性が向上する。当否抽選は、通常遊技より遊技者に有利な状態である特別遊技へ移行するか否かを判定する抽選であり、始動口６２へ入球があるたびに実行される。始動入賞検出装置７４は、始動口６２への遊技球の入球を検出するセンサであり、入球時にその入球を示す始動入賞情報を生成する。
【００１５】
一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。
【００１６】
大入賞口６６は、遊技球の入球を検出するための入賞検出装置７８と、大入賞口６６を開放させるための大入賞口ソレノイド８０を備える。入賞検出装置７８は、大入賞口６６への遊技球の入球を検出するセンサであり、入球時にその入球を示す大入賞口入賞情報を生成する。大入賞口６６は、特別図柄１９０が所定の態様にて停止したときに開始される特別遊技において「大当り」として開放状態となる横長方形状の入賞口である。大入賞口６６は、例えばアウト口５８の上方等の位置に設けられる。大入賞口６６の設置個数としては、一つだけ設置する構成に限らず、複数個の大入賞口６６を設置してそれぞれを遊技状態等に応じて使い分ける構成としてもよい。大入賞口６６の入賞検出装置７８は、遊技球の通過を検出するセンサを備えて構成される。
【００１７】
リールユニット６０は、遊技領域５２の略中央に設けられ、特別図柄１９０を変動表示するドラム回転式の図柄表示装置である。特別図柄１９０は、当否抽選の結果表示を視覚的に演出するための図柄である。リールユニット６０は、特別図柄１９０として、スロットマシンのゲームを模した複数列の図柄を変動させる複数列のリールと、そのリールを個別に駆動可能な駆動手段としてのステッピングモータとを含む。本実施形態においては、左図柄１９１、中図柄１９３および右図柄１９５の３列の図柄をそれぞれ変動させる３列のリールが設けられ、各リールの外周面にそって「０」〜「９」の数字図柄が配設されている。なお、リールユニット６０の詳細については後述する。
【００１８】
本実施形態では、３列のリール２０６は、停止されたときそれぞれ１つの図柄のみが遊技者に視認可能となるよう、その表面が露出している。このとき、３列のリール２０６の各々の図柄は水平方向に３つ並ぶように配置される。この３つ並んだ図柄の各々の中心を通過する水平な線は、有効ラインＬとなる。リールユニット６０は、この有効ラインＬ上に停止表示された図柄組合せによって当否抽選の結果を遊技者に報知する。
【００１９】
なお、本実施形態ではこのように有効ラインは一本のみだが、有効ラインが複数設けられてもよい。複数の有効ラインが設けられる場合、複数列のリールの延在方向と直交する方向に平行に並ぶ３本の有効ラインと、複数列のリールの延在方向に対し斜めに並ぶ２本の有効ラインとの合わせて５本の有効ライン（ファイブライン）が設けられてもよい。
【００２０】
作動口６８は、遊技盤５０の左側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は拡開機構６３を拡開させるか否かを決定する開放抽選の契機となる。作動口６８を遊技球が通過すると、開放抽選の結果を示す図柄である普通図柄が普通図柄表示装置５９に変動表示される。したがって、開放抽選は「普通図柄抽選」とも呼ぶ。本実施形態における普通図柄表示装置５９は、便宜上、二つのランプで構成されるとともに、それらのうちいずれのランプが点灯しているかによって普通図柄の表示状態が表現される。例えば、第１のランプの点灯が外れを示し、第２のランプが当りを示すとき、それらが交互に点灯と消灯を繰り返すことによって普通図柄の変動表示が表現され、最終的にいずれかの点灯状態にて停止されることで普通図柄の停止図柄が表現される。
【００２１】
普通図柄表示装置５９はリールユニット６０の右下方に設けられる。変動開始から所定時間の経過後に、普通図柄の変動表示が停止する。このとき、通常状態では例えば１／２５６程度の低確率にて普通図柄が当りの図柄で停止し、後述する入球容易状態では例えば２５０／２５６程度の高確率にて普通図柄が当りの図柄で停止する。普通図柄が当りの図柄で停止すると、拡開機構６３が所定時間拡開される。拡開機構６３の開放時間は、例えば通常状態では０．１秒間であり、入球容易状態では６秒間である。
【００２２】
リールユニット６０の周囲には、センター飾り６４が設けられる。センター飾り６４は、遊技球の流路、リールユニット６０の保護、装飾等の機能を有する。遊技領域５２の左下部には、特別図柄保留表示装置２０が設けられ、その対称位置である遊技領域５２の右下部には、普通図柄表示装置５９の下に普通図柄保留表示装置２２が設けられている。
【００２３】
特別図柄保留表示装置２０は、４個のランプからなり、その点灯個数によって当否抽選の保留数を表示する。当否抽選の保留数は、図柄変動中または特別遊技中に始動口６２へ入賞した抽選結果の個数であり、図柄変動がまだ実行されていない入賞球の数を示す。当否抽選の保留数が３個になると、遊技効率を高めるために外れの場合の図柄変動時間が通常より短縮される（以下、「短縮変動」ともいう）。同様に、当否抽選の保留数が４個になると、さらに遊技効率を高めるために外れの場合の図柄変動時間が上記３個の場合よりもさらに短縮される（以下、「超短縮変動」ともいう）。
【００２４】
普通図柄保留表示装置２２もまた４個のランプからなり、その点灯個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。
【００２５】
リールユニット６０の上方および下方には、それぞれ遊技効果ランプ９０が設けられている。操作ボタン８２は、遊技者が遊技機へ所定の指示を入力するために操作する操作入力装置であり、その操作入力の内容に応じて演出内容等に変化が加えられる。操作ボタン８２は、上球皿１５近傍の外壁面に設けられる。本実施形態における操作ボタン８２は一つのボタンで構成されるが、複数のボタンや十字キーなどの方向指示ボタンで構成されてもよい。
【００２６】
以上のような構成においてなされる遊技の方法および制御の流れを概説する。遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当りながらその当り方に応じた方向へ落下する。遊技球が一般入賞口７２や始動口６２、大入賞口６６の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００２７】
遊技球が始動口６２に落入すると、リールユニット６０において特別図柄１９０が変動表示される。特別図柄１９０の変動表示は、表示に先だって決定された変動表示時間の経過後に停止される。特別図柄１９０は、その変動開始から停止までの変動態様が定められた変動パターンにしたがって変動表示される。変動パターはそれぞれ複数種ずつ用意され、それぞれが長短様々な変動時間をもつ。変動パターンには、その図柄変動の終了条件としてパターンごとに変動表示時間が定められており、その変動表示時間の経過時に特別図柄１９０の変動が停止される。
【００２８】
特別図柄１９０の変動表示としては、まず変動開始とともにスロットマシンのリール回転のように３列とも図柄を変動させ、変動終了タイミングへ近づいたときに一列ずつ停止させることで最終的な停止態様としての図柄組合せを表示する。停止時の特別図柄１９０が大当りを示す停止態様となった場合、通常遊技よりも遊技者に有利な遊技状態である特別遊技に移行し、大入賞口６６の開閉動作が開始される。大当りを示す特別図柄１９０の停止態様は、例えば３つの図柄の種類が一致する組合せ（当り図柄組合せ）の態様である。以下、単に「図柄」とあった場合、リール２０６上に表され特別図柄１９０を構成する図柄をいう。
【００２９】
３列のリール２０６に表された図柄の変動パターンである変動演出パターンには、通常外れ演出パターン、リーチ外れ演出パターン、リーチ大当り演出パターンが含まれる。通常外れ演出パターンは、通常の外れの図柄組合せを表示するときの演出パターンである。リーチ外れ演出パターンは、あと一つ図柄が揃えば大当りとなる状態であるリーチ状態を経て外れの図柄組合せを表示するときの演出パターンである。リーチ大当り演出パターンは、リーチ状態を経て大当りの図柄組合せを表示するときの演出パターンである。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「スーパーリーチ」と称する。
【００３０】
特別遊技は、開始デモ演出と呼ばれる演出表示によって開始される。開始デモ演出の表示後に大入賞口６６が開放され、その開放が約３０秒間続いた後、または９球以上の遊技球が落入した後で一旦閉鎖される。このような大入賞口６６の開放から閉鎖までが、基本的には単位遊技と呼ばれるが、１回の単位遊技の間に複数回の短時間の開放を繰り返す場合があってもよい。大入賞口６６の開閉ないし単位遊技が所定の複数回数、例えば１５回繰り返された後、終了デモ演出と呼ばれる演出表示によって特別遊技が終了される。なお、本実施形態における開始デモ演出および終了デモ演出は、遊技効果ランプ９０やリールユニット６０の後述するバックライトによる所定の点灯および点滅表示、およびリールの特定の駆動態様により行われる。これに対し、当否抽選が小当りと呼ばれる結果に該当した場合は小当り遊技が実行される。小当りは、当否抽選の結果としては外れに含まれる結果である。小当り遊技は、２Ｒ特別遊技と同様の開放態様で大入賞口６６が開放される単位遊技である。ただし、小当り遊技として実行される単位遊技は１回だけであり、複数回数の単位遊技が実行される特別遊技とは異なる。
【００３１】
特別遊技が終了した後の通常遊技においては特定遊技の一つである特別図柄１９０の変動時間短縮（以下、適宜「時短」という）が開始される。特別図柄１９０の時短は、特別図柄１９０の変動時間が通常状態よりも短縮される状態である。特別図柄１９０の変動時間は、所定の変動回数、例えば１００回の変動表示がなされた後で元の変動時間に戻されるが、その変動回数に達する前に大当りが発生すれば時短も終了する。時短により特別図柄１９０の変動時間が短縮されるため、通常の変動時間のまま図柄変動がなされる通常状態の場合と比べて、大当りが発生するまでの時間を短縮することができ、大当りの獲得容易性を相対的に高めることができる。
【００３２】
特別図柄１９０の時短中は、特定遊技の一つである入球容易状態が実施される。入球容易状態は、普通図柄の時短、開放抽選の確率変動、拡開機構６３の開放延長が実施されることにより始動口６２への入球容易性が高められる状態である。普通図柄の時短は、普通図柄の変動時間が通常状態より短縮される状態である。開放抽選の確率変動は、開放抽選の当り確率を通常状態より高める状態である。拡開機構６３の開放延長は、拡開機構６３の開放時間を通常状態よりも長くする状態である。このように、入球容易状態においては、一定時間あたりの普通図柄の変動回数が通常状態よりも増加する可能性が高まる上、始動口６２への入球容易性も増すため、始動口６２への入球数が増加する可能性も高い。したがって、特別図柄１９０の時短および入球容易状態により、その期間中は始動口６２への入球による賞球を得られる機会が増加する結果、持ち玉をほとんど減らさずに遊技し続けることが可能となる。
【００３３】
なお、本実施形態における入球容易状態は、普通図柄の時短、開放抽選の確率変動、拡開機構６３の開放延長という３つの機能を用いて始動口６２への入球容易性を高める。ただし、変形例としては、これら３つの機能のうち、１つまたは２つの機能を用いて始動口６２への入球容易性を高める構成としてもよい。このように３つの機能のうち一部だけを用いても始動口６２への入球容易性を高めることは可能である。また、３つの機能のうち少なくともいずれかを、実施する期間と実施しない期間とで遊技状態に応じて切り替える構成としてもよい。
【００３４】
特別遊技が発生した場合であってそのときの当り停止図柄が特定の態様であった場合、特別遊技の終了後に特定遊技の一つである当否抽選の確率変動遊技（以下、適宜「確変」という）がさらに開始される。当否抽選の確変中は、通常の確率状態より当りの確率が高い当否抽選が行われ、比較的早期に新たな特別遊技が発生し得る。当否抽選の確変は次の大当りが発生するまで継続されるが、変形例として、所定の限定的な回数の図柄変動がなされたときに終了する構成であってもよい。本実施形態においては、確変が開始されるときに同時に特別図柄１９０の時短や入球容易状態も開始されるが、変形例として時短や入球容易状態の開始を伴わない確変が実行される場合があってもよい。
【００３５】
図２は、ぱちんこ遊技機の背面側における基本的な構造を示す。電源スイッチ４０はぱちんこ遊技機１０の電源をオンオフするスイッチである。メイン基板１０２（主制御装置）は、当否抽選を含む遊技の基本動作を主に制御し、特に始動口６２へ入賞したときの抽選等、遊技動作全般を処理する。サブ基板１０４（副制御装置）は、遊技効果ランプ９０の点灯およびスピーカ１８からの音声出力など、遊技の演出的動作を主に制御する。メイン基板１０２およびサブ基板１０４は、遊技制御装置１００を構成する。裏セット機構３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００３６】
図３は、本実施形態におけるぱちんこ遊技機１０の機能ブロックを示す。ぱちんこ遊技機１０において、遊技制御装置１００は、始動口６２、大入賞口６６、一般入賞口７２、作動口６８、特別図柄表示装置６１、リールユニット６０、普通図柄表示装置５９、操作ボタン８２、スピーカ１８、遊技効果ランプ９０、ＲＡＭクリアスイッチ９２のそれぞれと電気的に接続されており、各種制御信号の送受信を可能とする。遊技制御装置１００は、遊技の基本動作だけでなく、図柄変動表示や電飾等の演出的動作も制御する。遊技制御装置１００は、遊技の基本動作を含むぱちんこ遊技機１０の全体動作を制御するメイン基板１０２（「主制御装置」として機能する）と、図柄の演出等を制御するサブ基板１０４（「副制御装置」として機能する）とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００３７】
本実施形態におけるメイン基板１０２は、入球判定手段１１０、当否抽選手段１１２、図柄決定手段１１４、変動パターン決定手段１１５、保留制御手段１１６、メイン表示制御手段１１８、特別遊技制御手段１２０、特定遊技実行手段１２２、開閉制御手段１２４、メイン状態記憶手段１２６を備える。を備える。本実施形態におけるサブ基板１０４は、動作パターン記憶手段１３０、停止図柄決定手段１３１、演出決定手段１３２、演出実行手段１３４、加速制御パターン記憶手段１３６および停止状態判定手段１３７を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００３８】
ただし、メイン基板１０２とサブ基板１０４の間におけるデータの送受信はメイン基板１０２からサブ基板１０４への一方向であるため、そのような一方向でのデータ送受信にて全体動作が実現されるよう各構成がメイン基板１０２とサブ基板１０４に配置される。このようにメイン基板１０２からサブ基板１０４へのデータ送信の一方向性が保たれるため、サブ基板１０４に含まれる構成からメイン基板１０２に含まれる構成へはデータを送信することができず、データ送信の要求もできない。したがって、メイン基板１０２で生成された情報は、メイン基板１０２がサブ基板１０４へ一方的に送信しない限りサブ基板１０４から参照することはできない。
【００３９】
入球判定手段１１０は、各入賞口への遊技球の入球を判定する。入球判定手段１１０は、始動入賞情報を受け取ると遊技球が始動口６２に入賞したと判断し、大入賞口入賞情報を受け取ると遊技球が大入賞口６６に入賞したと判断し、一般入賞情報を受け取ると遊技球が一般入賞口７２に入賞したと判断する。入球判定手段１１０は、通過情報を受け取ると遊技球が作動口６８を通過したと判断する。
【００４０】
当否抽選手段１１２は、始動口６２への入球を契機に、通常遊技より遊技者に有利な状態である特別遊技へ移行するか否かを判定するための乱数の値を当否抽選値として取得する。たとえば、当否抽選値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。当否抽選手段１１２が当否抽選値として取得する値は、保留制御手段１１６により一時的に保留される。ただし、所定の保留上限数を超えない範囲で当否抽選値が保留される。
【００４１】
当否抽選手段１１２は、当否判定で参照する当否判定テーブルを複数保持する。複数の当否判定テーブルには、大当り、小当り、外れの判定結果と当否抽選値とが対応付けられており、対応付けられた大当りの範囲設定に応じて当否確率が定まる。当否抽選手段１１２は、通常時には通常確率による当否判定テーブルを参照し、確率変動時には通常確率より当りの確率が高くなる当否判定テーブルを参照する。当否抽選手段１１２は、複数の当否判定テーブルのうちいずれかを参照し、当否抽選値が当りであるか否かを判定する。
【００４２】
当否抽選手段１１２は、遊技球が作動口６８を通過した場合に、普通図柄を決定するための開放抽選として抽選値を取得する。当否抽選手段１１２は、開放抽選の抽選値と当否結果の対応関係が定められた当否テーブルを保持し、その当否テーブルを参照して開放抽選の当否結果を決定する。通常状態においては１／２５６の確率で当りとなる当否テーブルを参照し、入球容易状態においては２５０／２５６の確率で当りとなる当否テーブルを参照する。普通図柄の抽選値は、保留制御手段１１６により一時的に保留される。ただし、保留制御手段１１６により保留される所定の保留上限数を超えない場合にだけ抽選値が保留される。
【００４３】
図４は、当否判定テーブルを模式的に示す図である。本図の当否判定テーブルには、大当り、小当り、外れの判定結果と当否抽選値とが対応付けられており、対応付けられたそれぞれの範囲設定に応じて大当り当否確率や小当りの当否確率が定まる。当否抽選手段１１２は、本判定としての当否判定において本図の当否判定テーブルを参照する。当否抽選手段１１２による当否抽選においては、通常時には図４（ａ）の通り、当否抽選値が０〜３９９の範囲に該当したときのみ大当りとなる。確変時には図４（ｂ）の通り、大当りの範囲が拡大され、当否抽選値が０〜３９９の範囲に該当する場合だけでなく、４００〜２９９９の範囲に該当する場合にも大当りとなる。このように、大当りに該当する範囲は遊技状態に応じて変化する。大当りに該当した場合、１５Ｒ大当り、５Ｒ大当り、および２Ｒ大当りのいずれとなるか、および、確変を伴うか否かは、特別図柄の停止図柄に応じて別途決定される。なお、本図では単一の当否判定テーブルによって通常時と確変時の双方の大当り範囲を示したが、当否判定テーブルは通常時用と確変時用とで別個に用意してもよい。
【００４４】
本実施例においては、当否抽選値が大当り範囲に該当しない、いわゆる外れとなった場合であっても、所定の範囲に該当した場合には小当りとなる。本図の例では、当否抽選手段１１２が取得する当否抽選値が６５０００〜６５５３５の範囲に該当した場合に小当りとなる。このように、大当りに該当しなかった場合、本来はすべて「外れ」であるが、本図の例では大当りに該当しなかった場合のうち小当りにも該当しなかった場合の当否抽選値範囲を特に「外れ」と表現している。なお、本図では大当りか否かの判定テーブルと小当りか否かの判定テーブルとを単一の当否判定テーブルの形で実現する例を示したが、それぞれを別個のテーブルとして実現してもよい。
【００４５】
図３に戻り、当否抽選手段１１２による判定結果は、リールユニット６０において特別図柄のかたちで変動表示される。また、当否抽選手段１１２による判定結果を演出的に示す特別図柄１９０がリールユニット６０において変動表示される。当否抽選手段１１２は、図柄変動を開始するタイミングにおいて、その図柄変動に対応する抽選の結果を図柄変動の制御コマンドとともに演出実行手段１３４へ送信する。
【００４６】
当否抽選手段１１２は、始動口６２への入球タイミングにおいては、事前判定処理として抽選値が当否判定におけるいずれの抽選値範囲に該当するかの事前当否判定を実行し、その判定結果を抽選結果として演出実行手段１３４へ送信する。事前判定処理の結果は一時的に保存された後、その抽選に対応する図柄変動表示が直ちに開始されるか否かにかかわらず演出実行手段１３４へ送信される。そのため、サブ基板１０４の側にとっては図柄変動開始の順番が巡ってくる前にあらかじめ当否結果を推測的に認識できる、いわゆる「先読み」と呼ばれる処理が実現される。先読みの処理としては、後述するように当否判定、図柄判定、パターン判定の判定結果のすべての情報をサブ基板１０４に送信して先読み処理として使用する構成としてもよい。または、サブ基板１０４が、受信した情報のうち一つまたは二つの判定結果のみを使用する構成としてもよい。その他、確変や時短、入球容易状態などの遊技状態に応じて、受信した情報の使用有無や使用する情報の種類を決定してもよい。また、メイン基板１０２での処理として、遊技の状態に応じて、事前判定の可否、事前判定結果送信の有無、事前判定または事前判定結果送信を行なう情報の種類を適宜設定してもよい。
【００４７】
図５は、事前当否判定で参照される事前当否判定テーブルを模式的に示す図である。当否抽選手段１１２は、この事前当否判定テーブルを参照し、当否抽選値が「０〜３９９」の場合は大当りを示す「１」の値を判定結果としての当否範囲に設定する。当否抽選値が「４００〜２９９９」の場合は通常状態であれば外れであるが確変状態であれば大当りであることを示す「２」の値を判定結果としての当否範囲に設定する。当否抽選値が「３０００〜６４９９９」の場合は外れを示す「３」の値を判定結果としての当否範囲に設定する。当否抽選値が「６５０００〜６５５３５」の場合は小当りを示す「４」の値を判定結果としての当否範囲に設定する。当否抽選手段１１２は、以上のように当否範囲を設定するたびにその値を保留の個数とともに演出実行手段１３４へ送信する。なお、変形例として、当否抽選値の範囲と判定結果の対応関係として、一つの当否抽選値の範囲に複数の判定結果が対応付けられる関係が定義されてもよい。この場合、実際の当否結果とは異なる判定結果となる可能性があるが、必ずしも実際の当否結果とは一致しない不正確な判定結果を意図的に設定することがある対応関係としてもよい。
【００４８】
図３に戻り、図柄決定手段１１４は、別途取得する図柄抽選値と当否判定の結果に基づいて、図柄の変動開始にあたってその停止図柄を決定するとともに、図柄抽選値がいずれの図柄範囲に該当するかの事前図柄判定を実行する。図柄決定手段１１４は、特別図柄の停止図柄を決定するために参照する複数の図柄判定テーブルと事前図柄判定テーブルを保持する。図柄決定手段１１４は、当否判定結果に応じて異なる図柄判定テーブルを参照する。なお、図柄変動を開始するにあたって実行する図柄判定を、特に事前図柄判定と区別するために、適宜「本判定としての図柄判定」とも呼ぶ。
【００４９】
図柄決定手段１１４は、３列のリール２０６によって有効ライン上に変動停止させるべき図柄組合せを、当否抽選手段１１２による抽選の結果に応じて決定する。図柄決定手段１１４は、特別図柄の停止図柄を決定するために参照すべき図柄判定テーブルを保持する。図柄決定手段１１４は、特別図柄を決定するための図柄抽選値を取得し、当否抽選手段１１２による当否判定結果と図柄抽選値とに応じて特別図柄の停止図柄を決定する。
【００５０】
図柄決定手段１１４は、普通図柄表示装置５９に表示させる普通図柄の停止図柄を、当否抽選手段１１２による開放抽選の結果に応じて決定する。図柄決定手段１１４は、開放抽選の結果を普通図柄のかたちで普通図柄表示装置５９に変動表示させるために、開放抽選の結果に応じて普通図柄の停止図柄を決定する。決定された停止図柄が所定の図柄となった場合に普通図柄が当りに該当したと判定され、その停止図柄にて普通図柄の変動表示が停止された後に開閉制御手段１２４が始動口６２の拡開機構６３を所定時間拡開する。図柄決定手段１１４は、決定した停止図柄を示すデータを演出実行手段１３４へ送出する。
【００５１】
図６は、事前図柄判定で参照される事前図柄判定テーブルを模式的に示す図である。図柄決定手段１１４は当否抽選値が大当りに該当する場合にこの事前図柄判定テーブルを参照する。事前図柄判定テーブルでは、図柄抽選値と図柄範囲とが対応付けられている。図柄範囲は、当り種類に応じて異なる図柄範囲となるよう、「１」〜「６」の図柄範囲が設けられている。この「１」〜「６」の図柄範囲の各々に、０〜２５５のうちそれぞれ異なる図柄抽選値が対応付けられている。
【００５２】
図３に戻り、変動パターン決定手段１１５は、特別図柄１９０の変動時間が定められた複数の変動パターンのなかから、別途取得するパターン抽選値に基づいて複数の変動パターンの中から決定してメイン表示制御手段１１８へ送る。変動パターン決定手段１１５は、図柄変動を開始する際に変動パターンテーブルを参照してその図柄変動の変動パターンを決定する。また、変動パターン決定手段１１５は、パターン抽選値がいずれの変動パターン範囲に該当するかの事前パターン判定を実行する。変動パターン決定手段１１５は、変動パターンを決定するために参照する変動パターンテーブルと事前パターン判定テーブルを保持する。変動パターンには、特別図柄を変動表示させるときの変動開始から停止までの変動時間が定められており、その種類によって長短様々な変動時間をもつ。すなわち、各変動パターンには、その図柄変動の終了条件としてパターンごとに変動表示時間が定められており、その変動表示時間の経過時に特別図柄の変動が停止される。なお、図柄変動を開始するにあたって実行する変動パターン判定を、特に事前パターン判定と区別するために、適宜「本判定としての変動パターン判定」とも呼ぶ。
【００５３】
図７は、変動パターンテーブルを模式的に示す図である。図７（ａ）は、当否抽選の結果が外れのときの変動パターンテーブルを示している。当否抽選の結果が外れのときは、パターン抽選値に応じて、第１スーパーリーチ用変動パターン、第２スーパーリーチ用変動パターン、擬似連続対応変動パターン、ノーマルリーチ変動パターン１、２、およびリーチなし変動パターンのいずれかが選択される。擬似連続対応変動パターンとは、疑似連演出を経由してリーチ演出が実行される変動パターンである。
【００５４】
当否抽選の結果が１５Ｒ大当りのときは、パターン抽選値に応じて、第１スーパーリーチ用変動パターン、第２スーパーリーチ用変動パターン、擬似連続変動パターンのいずれかが選択される。なお、第１スーパーリーチ用変動パターン、第２スーパーリーチ用変動パターンは、当否抽選の結果が外れのときの第１スーパーリーチ用変動パターン、第２スーパーリーチ用変動パターンと僅かに異なるが、図柄が変動停止する直前までの図柄の変動過程は共通しているため、便宜上同じ名称で説明する。
【００５５】
当否抽選の結果が５Ｒ大当りのときは、パターン抽選値に応じて、第１スーパーリーチ用変動パターン、第２スーパーリーチ用変動パターン、ノーマルリーチ変動パターン１、２のいずれかが選択される。当否抽選の結果が２Ｒ大当りまたは小当たりのときは、常にリーチなし変動パターンが選択される。
【００５６】
なお、当否抽選の結果が外れのときの変動パターンテーブルは、保留数ごとにそれぞれ変動パターンに対応付けられたパターン抽選値の範囲が異なる。具体的には、保留数が少ないほど変動時間が相対的に長い変動パターンに割り当てられたパターン抽選値の範囲が広くされており、それら変動時間の長い変動パターンが選択される確率を高めている。そのため、保留制御手段１１６による保留数が少ないほど平均的な変動時間が長くなる。したがって、保留制御手段１１６による保留数が所定数、例えば１〜２個より少なくなった場合に、変動時間の長い変動パターンの選択確率が通常より高くなり、変動時間が比較的長くなりやすい。
【００５７】
図３に戻る。変動パターン決定手段１１５は、リール２０６上に配置された図柄を有効ライン上にて変動表示させるための変動時間が規定された変動パターンを決定する。変動パターンの決定方法については後述する。また、変動パターン決定手段１１５は、普通図柄の変動表示時間を決定する。通常状態においては変動表示時間を６０秒に決定し、入球容易状態においては変動表示時間を６秒に決定する。
【００５８】
保留制御手段１１６は、始動口６２へ新たな入球があって新たに当否抽選が実行されるときにそれ以前の入球ないし抽選に対応する図柄変動が表示されている場合、新たな入球に基づく当否抽選の結果をその抽選に対応する図柄の変動表示開始まで保留する。本実施形態では当否抽選の結果として４個を上限として当否抽選値を保留球として保持する。ここでいう当否抽選値は、当否抽選値、図柄抽選値、変動パターン抽選値を含む。保留制御手段１１６はさらに、当否抽選手段１１２により取得された普図抽選値を保留球として保持する。これらの保留数がそれぞれ特別図柄保留表示装置２０、普通図柄保留表示装置２２の点灯数または点滅数により表される。
【００５９】
メイン表示制御手段１１８は、当否抽選手段１１２による抽選の結果を、変動パターン決定手段１１５により決定された変動パターンにしたがって特別図柄１９２の変動表示として特別図柄表示装置６１に表示させる。メイン表示制御手段１１８は、それ以前になされた当否抽選に対応する図柄の変動表示が終了していることを新たな図柄変動の開始条件とする。メイン表示制御手段１１８は、特別図柄１９２の変動表示を開始するタイミングと停止するタイミングにて、変動開始コマンドと変動停止コマンドを演出実行手段１３４へ送信する。変動開始コマンドを送信するとき、判定された当否判定結果、停止図柄、変動パターンのそれぞれを示す値を変動開始コマンドとともに演出実行手段１３４へ送信する。変動停止コマンドを送信するとき、あらためて停止図柄を示す値を変動停止コマンドとともに演出実行手段１３４へ送信する。これにより、メイン表示制御手段１１８および演出実行手段１３４による変動表示が同期し、連動が保たれる。メイン表示制御手段１１８は、普通図柄抽選の結果を普通図柄の変動表示として普通図柄表示装置５９に表示させる。
【００６０】
特別遊技制御手段１２０は、当否抽選手段１１２による当否抽選が特別遊技への移行を示す結果となった場合、特別図柄１９２が所定の大当り態様で停止されたときに特別遊技作動条件が成立したと判定し、大入賞口６６を開放させることにより特別遊技を実行する。特別遊技は、大入賞口６６の開閉動作を複数回数連続して継続する遊技であり、１回の開閉を単位とした複数回の単位遊技で構成される。特別遊技には、単位遊技を１５回繰り返す１５Ｒ大当りと、単位遊技を５回繰り返す５Ｒ大当りと、１５Ｒ大当りおよび５Ｒ大当りより開放時間が短い単位遊技を２回だけ繰り返す２Ｒ大当りがある。１５Ｒ大当りおよび５Ｒ大当りにおいては、１回の単位遊技において大入賞口６６を原則として約３０秒間開放させる。２Ｒ大当りにおいては、１回の単位遊技において大入賞口６６を約０．５秒間だけ開放させる。特別遊技制御手段１２０は、単位遊技の設定ラウンド数を消化したときに特別遊技を終了させる。なお、２Ｒ大当りとなった場合においても、所定の条件を満たした場合には、１５Ｒ大当りと同様の開放態様で大入賞口６６を開放させてもよい。
【００６１】
特定遊技実行手段１２２は、確変状態、時短状態、および入球容易状態における通常遊技を制御する。特定遊技実行手段１２２は、特別遊技の終了後に遊技状態を時短状態および入球容易状態へ移行させる。一方、特別遊技の終了後に確変状態へ移行させるのは、図柄決定手段１１４により決定された図柄が確変への移行を伴う大当り図柄であった場合に限られる。時短状態および入球容易状態は、特別図柄１９２の変動表示回数が特別遊技の終了時点から数えて所定の終了条件回数、例えば１００回に達するまで継続される。ただし、同時に確変状態へ移行した場合は確変状態が続く限り時短状態および入球容易状態も継続される。すなわち、次の大当りが発生するまで継続される。
【００６２】
このように時短状態および入球容易状態の終期は遊技状態に応じて定まる。時短状態においては、特別図柄１９２の変動表示時間が概ね短くなるよう、変動パターン決定手段１１５が変動時間の短い変動パターンを選択する。ただし、通常状態においては、保留制御手段１１６による当否抽選結果の保留数に応じた変動パターンテーブルを参照し、保留制御手段１１６による保留数が少なくなるほど変動時間の長い変動パターンが出現しやすくなる。入球容易状態においては、普通図柄の時短、普通図柄の確変、拡開機構６３の開放延長が実施される。一方、確変状態は、次の大当りによる特別遊技が実行されるまで継続される。確変状態の間は当否抽選手段１１２による当否判定結果が大当りとなる確率が高い値のまま維持される。
【００６３】
開閉制御手段１２４は、始動口６２の普通電動役物や大入賞口６６の開閉を制御する。開閉制御手段１２４は、普通図柄が特定の図柄で停止されると、普通電動役物ソレノイド７６に開放指示を送り、始動口６２を開放させる。また、開閉制御手段１２４は、特別遊技中、大入賞口ソレノイド８０に開放指示を送り、大入賞口６６を開放させる。
【００６４】
メイン状態記憶手段１２６は、「情報記憶手段」として機能し、メイン基板１０２による制御状態を含む遊技状態を記憶する。具体的には、当否抽選の結果や決定された変動パターンの情報、図柄変動中、特別遊技中あるいは特定遊技中（確変中、時短中）である等の現在の遊技状態や、図柄変動の経過情報を表す変動残余時間などを後述するバックアップＲＡＭの所定領域にそれぞれ格納する。仮に外的要因等によって図柄変動中に電源が遮断されたとしても、電源再投入時にバックアップＲＡＭから必要な情報が読み出されてサブ基板１０４側に送信される。
【００６５】
動作パターン記憶手段１３０は、リールユニット６０による図柄の図柄変動演出の表示過程が定められた複数の変動演出パターンを保持する。変動演出パターンには、３列の図柄からなる図柄の各図柄の変動開始から停止までの変動過程（つまり、複数列のリールの変動過程）が定められたリール２０６の動作パターンが含まれる。
【００６６】
各動作パターンには、その図柄変動の終了条件としてパターンごとに変動時間が定められており、その変動時間の経過時に図柄変動が停止されて当否抽選の結果が確定表示される。演出決定手段１３２は、特別図柄の変動パターンに応じて、変動時間が等しい変動演出パターンを選択する。変動演出パターンに含まれるリール２０６の動作パターンは、変動時間に対応してリール２０６を動作させる時間を少なくとも定める。リール２０６を動作させる時間には、リール２０６を回転させる回転時間と、リール２０６を一時的に停止させる場合にはリール２０６を停止する停止時間と、が含まれる。「リール２０６を一時的に停止させる」とは、１回の当否抽選の結果に対応する１回の変動演出において、たとえば疑似連演出における仮停止動作や、リール２０６を正回転から逆回転もしくは逆回転から正回転に切り替えるときに回転を一時的に停止する動作をいい、一連の変動演出中の途中で停止される動作をいう。またリール２０６の動作パターンには、リール２０６の目標回転速度およびリール２０６の回転方向が定められる。
【００６７】
演出決定手段１３２は、当否抽選手段１１２から受け取る当否抽選の結果に基づき、変動パターン決定手段１１５により決定された特別図柄の変動パターンに対応する変動演出パターンを選択する。そして、選択した変動演出パターンを動作パターン記憶手段１３０から読み出し、その変動演出パターンの情報を演出実行手段１３４へ送る。演出決定手段１３２は、変動演出パターンを選択するために参照すべきパターンテーブルを保持する。とくに演出決定手段１３２には、リール２０６の動作パターンを決定するリール動作決定手段１３３が含まれる。リール動作決定手段１３３は当否抽選手段１１２から受け取る当否抽選の結果に基づき、変動パターン決定手段１１５により決定された特別図柄の変動パターンに対応する動作パターンを決定する。
【００６８】
停止図柄決定手段１３１は、３列のリール２０６に表された図柄のうち、表示領域２５０に表される停止図柄の組合せとその配置を、当否抽選手段１１２による当否抽選の結果、特別図柄の停止図柄、特別図柄の変動パターン、リール２０６上の図柄の変動演出パターンに応じて決定する。停止図柄決定手段１３１は、決定した停止図柄の組合せを示す情報を演出実行手段１３４へ送信する。停止図柄決定手段１３１は、３列のリール２０６の停止時に表示領域２５０に表示させる停止図柄を決定するために参照すべき図柄判定テーブルを保持する。
【００６９】
ところでリール２０６が急停止した場合にリール２０６の表面が振動し、この振動の振幅が所定値以上に大きいときにリール２０６を通常の加速制御で加速すると脱調が生じる可能性が高くなる。そこで、停止状態判定手段１３７は、リール２０６を停止した状態におけるリール２０６の振動が、リール２０６を通常の加速制御で脱調が発生しないように減衰した状態にあるか、通常の加速制御で脱調が発生する状態であるか判定する。なお、通常の加速制御では、リール２０６を目標回転速度に素早く到達させる加速を実行する。
【００７０】
具体的に、停止状態判定手段１３７は、リール動作決定手段１３３により決定された動作パターンがリール２０６を一時的に停止させる動作を含む場合に、リール２０６が所定値以上に振動していると推定される第１停止状態またはリール２０６の振動が所定値以下に収まると推定される第２停止状態であるかを判定する。この所定値は、リール２０６を通常の加速制御を実行しても脱調が発生しないまでに減衰した振動の振幅である。所定値は、実際に検出される値ではなく、時間を基準に推定可能な値である。
【００７１】
停止状態判定手段１３７は、リール２０６の停止時間が所定の基準時間未満である場合に、リール２０６が第１停止状態であると判定し、リール２０６の停止時間が所定の基準時間以上である場合に、リール２０６が第２停止状態であると判定する。基準時間は、リール２０６を停止してからリール２０６の振動が所定値以下に減衰するための時間であり、実験等により設定される時間値であり、たとえば数十ミリセカンドから数百ミリセカンドの値に設定される。基準時間は、モータ２１７の特性、リール２０６の大きさおよび重量の要因で変わる。リール２０６の停止時間によって、リール２０６の停止状態がどのような状態であるか判定できる。
【００７２】
停止状態判定手段１３７は、リール２０６の停止時間をリール動作決定手段１３３により決定された動作パターンから導出して、基準時間と比較して判定する。これにより動作パターンを用いてリール２０６の状態を予め容易に判定できる。
【００７３】
加速制御パターン記憶手段１３６は、リール２０６の回転始動時の加速制御を定める加速制御パターンを記憶する。具体的に加速制御パターン記憶手段１３６は、通常の加速制御パターン、およびリール２０６が停止した状態から所定の回転速度に至るまでの到達時間が通常の加速制御パターンより遅い低加速の加速制御パターンを記憶する。なお、加速制御パターン記憶手段１３６は、加速制御パターンをテーブル形式で記憶する。また、加速制御パターン記憶手段１３６は、時間値および単位時間当りのモータ２１７のステップ数の関係を定めた加速制御を関数で記憶してよい。
【００７４】
モータ２１７の脱調は速度の変化量を一因とするため、リール制御手段１３５は、停止状態から目標回転速度までを立ち上がりの初期では比較的低加速で制御し、所定の回転速度まで立ち上げた後の後期では比較的急加速で制御して目標回転速度に到達させる。
【００７５】
モータ２１７の加速制御において、停止状態から目標回転速度まで可能な限り素早く立ち上げることが、その後に実行される処理の時間を十分に確保できるため好ましい。そこで、通常の加速制御パターンでは、モータ２１７の特性を考慮しつつ脱調しないように、所定の速度まで立ち上げた後の後期で急加速が実行される。しかしながら、リール２０６が大きく振動している状態で通常の加速制御を実行すると、モータ２１７の脱調の可能性が高まる。
【００７６】
そこで低加速の加速制御パターンでは、通常の加速制御パターンより加速を抑え、目標回転速度までの到達時間が通常の加速制御パターンより遅くなる。また、加速制御パターンに定められる初期の加速は、通常の加速制御パターンにおいても脱調しないように加速を抑えているため改善の余地は少ない。そのため、低加速の加速制御パターンは、後期の加速を通常の加速制御パターンより低加速で実行する。低加速の加速制御パターンは、リール２０６が脱調しない程度に、目標回転速度までの到達時間が遅くなることを抑えた加速が実験等により定められる。
【００７７】
加速制御パターンは、リール２０６の回転開始から動作パターンに定められたリール２０６の目標回転速度に到達するまでのモータ２１７の駆動制御を定める。また加速制御パターンは、時間値および単位時間当りのモータ２１７のステップ数の関係を定めており、リール制御手段１３５はこの加速制御パターンに沿って所定の時間に所定のステップ数だけモータ２１７を駆動する。このステップ数は、モータ２１７のロータの回転角に対応する。通常の加速制御パターンと低加速の加速制御パターンは、リール２０６が所定の目標回転速度に到達するまで到達時間と、所定の目標回転速度に到達するまでの平均の加速度が異なる。なお、通常の加速制御パターンと低加速の加速制御パターンは、平均の加速度は異なるものの、加速度が同じ領域を有してよい。
【００７８】
図８は、加速制御パターンテーブルを示す図である。停止状態判定手段１３７の判定結果が、基準時間以上であればリール２０６の振動が所定値以下に収まると推定される第２停止状態であり、加速制御パターンは通常加速パターンが選択される。停止状態判定手段１３７の判定結果が、基準時間未満であればリール２０６が振動していると推定される第１停止状態であり、加速制御パターンは低加速パターンが選択される。
【００７９】
演出実行手段１３４は、当否抽選手段１１２による当否抽選の結果として、選択された変動演出パターンデータにしたがってリールユニット６０の各リールを駆動し、図柄を変動表示させる。演出実行手段１３４は、図柄の変動開始コマンドを受け取ったときに新たな図柄変動を開始させる。演出実行手段１３４は、遊技効果ランプ９０の点灯および消灯や、スピーカ１８からの音声出力などの演出処理をさらに制御する。演出実行手段１３４は図柄表示制御手段として機能し、複数列のリール２０６の回転駆動を制御することにより、図柄を変動表示させた後、選択された図柄組合せで図柄を停止表示させる。演出実行手段１３４には、リール２０６の制御を実行するリール制御手段１３５が含まれる。
【００８０】
リール制御手段１３５は、リール動作決定手段１３３により決定された動作パターンにしたがってリール２０６の回転および停止を制御する。またリール制御手段１３５は、リール動作決定手段１３３により決定された動作パターンがリールを一時的に停止させる動作を含むとき、リール２０６が所定値以上に振動していると推定される第１停止状態である場合、低加速パターンによりリールの回転始動動作を制御し、リール２０６の振動が所定値以下に収まると推定される第２停止状態である場合、通常の加速制御パターンによりリールの回転始動動作を制御する。これにより、リール２０６の停止状態に応じた適切な加速制御を実行できる。リール制御手段１３５は、リール２０６の回転開始から時間の経過に応じて加速制御パターンに規定されたステップ数だけモータ２１７を駆動する。
【００８１】
図９は、加速制御パターンを説明する図である。リール制御手段１３５は、停止状態判定手段１３７の判定結果に応じた加速制御パターンでリール２０６を目標回転速度まで加速させる。時刻ｔ０のリール２０６を停止状態から回転開始し、目標回転速度ｖ２まで上昇させる。リール制御手段１３５が通常加速パターンｐｔ１で制御した場合、目標回転速度ｖ２までの到達時間ｔ２は、低加速パターンｐｔ２の到達時間ｔ４より早い。通常加速パターンｐｔ１によれば目標回転速度に素早く到達させることができ、目標回転速度に到達した後から実行する処理を早く開始できる。なお、目標回転速度ｖ２に到達した後は、リール制御手段１３５は加速制御を終え、動作パターンにしたがって目標回転速度ｖ２を維持する制御を行う。
【００８２】
一方、低加速パターンｐｔ２においては、時間とステップ数（回転角）との関係が細かく定められており、時刻ｔ０から回転させるモータ２１７の第１目標ステップ数と、時刻ｔ３から回転させるモータ２１７の第２目標ステップ数が定められている。リール制御手段１３５は、時刻ｔ１において第１目標ステップ数を満たしたため時刻ｔ３までモータ２１７の加速をやめ、時刻ｔ３から再び加速して目標回転速度ｖ２まで上昇させる。このように低加速パターンｐｔ２は、時間とステップ数の関係を通常加速パターンｐｔ１より多く定められ、通常加速パターンｐｔ１より細かな制御が実行される。これにより滑らかにモータ２１７を加速でき、リール２０６の回転速度が急激に上昇することを抑えることができる。また、リール２０６が振動していると推定される場合には、目標回転速度に到達する到達時間が遅い加速制御パターンを実行して、リール２０６が急加速により脱調する可能性を抑えることができる。
【００８３】
図１０〜図１２は、リールユニットの構成を表す説明図である。各図においては便宜上、遊技盤５０からリールユニット６０を抜き出したものが示されている。図１０（ａ）は、リールユニット６０の斜視図であり、図１０（ｂ）は、リールユニット６０を構成するリール装置の斜視図である。図１１は、リール装置の分解斜視図である。図１２（ａ）はリール装置の正面図であり、図１２（ｂ）は図１２（ａ）の被検出部材２３１のみを抜き出した側面図である。
【００８４】
図１０（ａ）に示すように、リールユニット６０は、長方形状のケース２００に左リール装置２０１、中リール装置２０３、右リール装置２０５を収容するように構成されている。各リール装置は、個別のリールとそれを駆動するモータ等のアクチュエータを含む。ケース２００の内部には各リールを個別に回転させるためのアクチュエータや、各リールの回転方向の位置を検出するためのセンサが収容されており、そのアクチュエータへ駆動電流を供給したり、センサの出力信号を取り出したりするための図示しないハーネスが外部に引き出されている。ハーネスは、サブ基板１０４および電源ユニット４８に接続されている。
【００８５】
すなわち、左リール装置２０１は左図柄１９１が配設された左リール２０６ａを含み、中リール装置２０３は中図柄１９３が配設された中リール２０６ｂを含み、右リール装置２０５は右図柄１９５が配設された右リール２０６ｃを含む。左リール２０６ａ、中リール２０６ｂおよび右リール２０６ｃの３列のリールは、ケース２００内の左右に並設され、その一部がケース２００の前面側の開口部２１１から露出するように支持されている。すなわち、各リールは、その周面の一部が遊技者に提示可能に配置されている。なお、以下の説明において左リール２０６ａ、中リール２０６ｂおよび右リール２０６ｃを特に区別しない場合には、適宜「リール２０６」と総称する。このようにリールユニット６０（図柄表示装置）は、外周にそって複数の図柄が配置された３列のリール２０６を有する。
【００８６】
図１０（ｂ）に示すように、各リール装置（左リール装置２０１、中リール装置２０３、右リール装置２０５）は、ベース部材２１３に固定されたモータの回転軸にリール２０６が回転自在に支持されるようにして構成されている。そして、ベース部材２１３がケース２００に固定されることにより、左リール２０６ａ、中リール２０６ｂおよび右リール２０６ｃが、その回転軸が同一軸線上に配置されるようにケース２００に支持されている。各リール装置は、各リールの回転方向の位置を検出するための位置検出センサ２１５を備えている。
【００８７】
図１１に示すように、ベース部材２１３には、モータ２１７、バックライト２１９、位置検出センサ２１５が配設されている。モータ２１７は、ステッピングモータからなり、その通電方向の切り替えにより正転又は逆転駆動される。バックライト２１９は断面円弧状の本体を有し、通電により複数の色に点灯又は点滅可能に構成されている。バックライト２１９は、リール２０６の内方に配置され、特定の演出が行われる際に点灯又は点滅されてリール２０６を内方から照らす。位置検出センサ２１５は、リール２０６に固定される後述の検出片を検出する。後述するように、リール２０６に設けられる複数の検出片をそれぞれ検出することにより、リール２０６の回転方向の位置ひいては遊技者に提示される図柄を検出することができる。
【００８８】
リール２０６は、透光性を有する円筒状のリール本体２０７を有し、そのリール本体２０７の外周面にそってリールテープ２０８を巻き付けるように貼付して形成される。リールテープ２０８には後述のように、その長手方向にそって複数の図柄が印刷されている。その複数の図柄は、リール本体２０７の外周面にそって等間隔（３０度ごと）に印刷されている。リール２０６には、その一方の開口部を直径方向に架橋するように十字状の梁２２０が設けられており、その梁２２０の中心に円筒軸２２１が形成されている。リール２０６は、その円筒軸２２１がモータ２１７の回転軸に固定されることにより、モータ２１７に回転自在に支持される。リール２０６は、モータ２１７およびバックライト２１９の周囲を囲むように配設される。リール本体２０７が透光性を有するため、バックライト２１９の点灯又は点滅態様がリール２０６を装飾する形で演出的に提供されるようになる。
【００８９】
リール２０６には、３つの被検出部材２３１、２３２、２３３が取り付けられる。各被検出部材は、板状部材を十字状に加工して形成されたものである。被検出部材には、その中心から半径方向外向きに延びるアーム２３４が９０度おきに設けられ、各アーム２３４の先端部の片側面に検出片２３５が突設されている。すなわち、各被検出部材には４つの検出片２３５が設けられており、被検出部材２３１、被検出部材２３２、被検出部材２３３の順にリール本体２０７に組み付けられる。
【００９０】
図１２（ａ）に示すように、被検出部材２３１は、梁２２０にそった形でリール本体２０７に組み付けられる。被検出部材２３１の４つの検出片２３５は、梁２２０を厚み方向に貫通する挿通孔を介して位置検出センサ２１５側に延出する。被検出部材２３２は被検出部材２３１に対して３０度ずれるように取り付けられ、被検出部材２３３は被検出部材２３２に対してさらに３０度ずれるように取り付けられる。その結果、図示のように、３つの被検出部材２３１、２３２、２３３に設けられた１２個の検出片２３５が位置検出センサ２１５が位置する円周上にそって等間隔（３０度ごと）に配置される。
【００９１】
図１２（ｂ）に示すように、位置検出センサ２１５は、発光部と受光部とを有する透過型のフォトセンサからなり、各検出片２３５が発光部と受光部との間に位置して受光部による受光が遮断されたときに、該当する検出片２３５を検出する。１２個の検出片２３５は、それぞれ遮光位置が異なる形状を有するため、特図表示制御手段１５６は、いずれの検出片２３５が検出されたか、つまりリール２０６の回転方向の位置を判定することができる。一方、各検出片が検出されるときにいずれかの図柄が後述する有効ライン上に位置するような位置関係が設定されているため、特図表示制御手段１５６は、位置検出センサ２１５の検出情報によりリール２０６に配されたいずれの図柄が有効ライン上に位置したかを判定することができる。なお、変形例においては、１２個の検出片２３５の幅を異ならせ、それぞれモータ２１７の回転速度に対する遮光時間が異なるようにし、その遮光時間に基づいていずれの検出片２３５が検出されたか、ひいてはいずれの図柄が有効ライン上に位置したかを判定するようにしてもよい。
【００９２】
図１３は、位置検出センサによる検出方法を示す模式図である。（ａ）〜（ｃ）は、それぞれ位置検出センサ２１５による検出方法の具体例を示す説明図である。すなわち、本実施形態では図１１（ａ）に示すように、図柄番号１の図柄が有効ラインに到達したことを検出するための検出片２３５〜図柄番号１２の図柄が有効ラインに到達したことを検出するための検出片２３５の合計１２個の検出片２３５が設けられており、各検出片の長さ（発光部からの光を遮光する部分の長さ：「遮光長さ」ともいう）が異なっている。図示のように、位置検出センサ２１５は、１２個の発光素子とそれに対応する１２個の受光素子を含む。各発光素子から対向する受光素子に向けて発光されるため、受光素子は、その光が遮蔽されない限り、それを受光することができる。このため、例えば図柄番号１の図柄に対応する検出片が有効ラインに位置したときには１つの発光素子からの光が遮蔽され、図柄番号３の図柄に対応する検出片が有効ラインに位置したときには３つの発光素子からの光が遮蔽される。特図表示制御手段１５６は、受光素子の検出状況から検出片２３５が有効ラインに到達したときの遮光状態（または受光状態）を判定することにより、いずれの図柄が有効ライン上に位置したかを判定することができる。
【００９３】
なお、変形例においては、これとは異なる検出方法を採用してもよい。例えば図１１（ｂ）に示すように、各検出片の長さ方向に異なる態様で貫通孔を設け、各検出片による遮光態様（遮光位置の組合せ：「遮光パターン」ともいう）が異なるようにしてもよい。図示の例では、位置検出センサ２１５は、４個の発光素子とそれに対応する４個の受光素子を含む。各検出片における貫通孔は、発光素子と受光素子とをつなぐ複数の光路のいずれかに合わせて設けられる。このため、例えば図柄番号１の図柄に対応する検出片が有効ラインに位置したときには４つの発光素子からの光が全て受光素子側で検出される。また、図柄番号３の図柄に対応する検出片が有効ラインに位置したときには３つの発光素子からの光が受光される（特定の１つの位置の光は遮蔽される）。特図表示制御手段１５６は、受光素子の検出状況から検出片２３５が有効ラインに到達したときの遮光位置（または受光位置）のパターンを判定することにより、いずれの図柄が有効ライン上に位置したかを判定することができる。
【００９４】
あるいは、図１１（ｃ）に示すように、各検出片として光の透過率の異なるものを使用し、各検出片による透過率が異なるようにしてもよい。このようにしても、特図表示制御手段１５６は、いずれかの検出片２３５が有効ラインに到達したときの透過率（光の透過量や光の強度）を判定することにより、いずれの図柄が有効ライン上に位置したかを判定することができる。
【００９５】
図１４は、各リールにおける図柄の配列と図柄番号との対応関係を示す説明図である。図柄決定手段１１４は、各リールの図柄を図柄番号にて管理し、その図柄番号の組合せにより特別図柄１９０の停止図柄を特定する。本実施形態では「１」〜「１２」の図柄番号が設定されている。通常の図柄変動制御においてリール２０６が正転される場合、各図柄は図柄番号「１」〜「１２」の順に有効ライン上に表示されるようになる。
【００９６】
リールユニット６０は、その３列のリール２０６の各々が回転駆動されることにより図柄が変動表示された後、その３列のリール２０６が停止されたときに有効ライン上に停止表示される図柄の組合せにより当否抽選の結果を示す。特図表示制御手段１５６は、３列のリール２０６の回転駆動を制御することにより、図柄を変動表示させた後、選択された図柄組合せで図柄を停止表示させるよう、有効ライン上における図柄の変動表示を制御する。
【００９７】
本実施形態では、当り表示用図柄として、「３」、「５」、「７」、「９」の数字の図柄、左リール２０６ａ、中リール２０６ｂ、および右リール２０６ｃに適宜配置されている。これらのいずれかが後述する有効ライン上で３つ揃ったときに、当否抽選の結果が５Ｒ大当りまたは１５Ｒ大当りであることが示される。図柄番号１〜３には、微笑んでいる顔の画像一部が、それぞれ３列のリール２０６に表されている。この顔の画像も、当否抽選の結果が１５Ｒ大当りであったことを示す図柄として利用される。以下、この顔の画像を「大図柄」という。後述する表示領域にこの大図柄が表示されるよう３列のリール２０６の図柄が揃ったときに、当否抽選の結果が１５Ｒ大当りであることが示される。
【００９８】
３列のリール２０６の各々には、ブランク図柄も配置されている。ブランク図柄は、大当りか否かの結果を示すために用いられない図柄、すなわち特別遊技へ移行するか否かの結果を示すための図柄組合せを構成しない図柄として利用される。本実施形態では、ブランク図柄として、白い星の図柄と黒い星の図柄が設けられている。以下、白い星の図柄を「第１ブランク図柄」、黒い星の図柄を「第２ブランク図柄」という。第１ブランク図柄および第２ブランク図柄は、３列のリール２０６のいずれにも設けられている。なお、第１ブランク図柄および第２ブランク図柄は、最終的に停止する中リール２０６ｂにのみ設けられていてもよい。
【００９９】
第１ブランク図柄および第２ブランク図柄は、最終停止リールにおいて、当り表示用図柄に隣接し且つその当り表示用図柄を挟んで配置される。本実施形態では、最終停止リールである中リール２０６ｂにおいて、第１ブランク図柄および第２ブランク図柄は、当り表示用図柄である「７」の図柄を挟み且つ「７」の図柄に隣接して配置される。また、第１ブランク図柄および第２ブランク図柄は、当り表示用図柄である「５」の図柄を挟み且つ「５」の図柄に隣接して配置される。なお、第１ブランク図柄および第２ブランク図柄が、他の当り表示用図柄を挟むようその当り表示用図柄に隣接して配置されてもよい。
【０１００】
ここで、本実施形態に係るぱちんこ遊技機１０は、予告演出を表示するためのディスプレイが設けられていないため、様々な画像をディスプレイに表示することができず、予告の実行は容易ではない。また、例えば変動時間が最初に決定され、その後に次に変動停止させる図柄組合せを現在停止表示されている図柄組合せを考慮することなく決めると、上述のハードウェアの制約を考慮して３列のリール２０６の各々を回転開始および停止させるために、各図柄変動において画一的な変動開始態様を実現できない可能性がある。しかし、このように画一的な態様で図柄を変動開始させることができない場合、変動開始タイミングやリール２０６の回転加速度などから、その変動がもはやリーチとならない外れ時の変動であることなど、当否抽選の結果やその後の遊技性などが３列のリール２０６の回転状況から予測され、遊技の面白さが低下するおそれがある。
【０１０１】
このため本実施形態では、図柄決定手段１１４は、始動口６２への入球があったときに、その入球に対応する図柄変動表示が直ちに開始されるか否かにかかわらず、その入球を契機とした第１の当否抽選の結果を示す図柄組合せを決定する。さらに図柄決定手段１１４は、その入球前における始動口６２への入球を契機とした第２の当否抽選の結果が保留されており、且つ所定の予告表示条件を満たす場合、第２の当否抽選の結果を示す図柄の所定の停止態様である予告停止態様を決定する。この予告停止態様は、予告停止態様で図柄を変動停止させることが決定されたとき以外は選択されることのない図柄組合せとなっている。このため遊技者は、予告停止態様で図柄が変動停止されたことを確認することにより、１５Ｒ大当りとなった可能性があることを把握することができる。
【０１０２】
図柄決定手段１１４は、第１の当否抽選の結果が１５Ｒ大当りとなる確率よりも、この予告停止態様で図柄が変動停止された後に１５Ｒ大当りとなる確率の方が高くなるよう、第１の当否抽選の結果に基づいて、予告停止態様で図柄を変動停止させるか否かを決定する。このため予告停止態様で図柄が変動停止されたときに第１の当否抽選の結果が１５Ｒ大当りとなっている可能性を予告的に示唆することが可能となっている。
【０１０３】
変動パターン決定手段１１５は、予告停止態様が決定された場合、図柄を変動表示させて予告停止態様で変動停止させるための変動パターンを予告停止態様に基づいて決定する。特図表示制御手段１５６は、予告停止態様が決定された場合、その予告停止態様で変動停止させるために決定された変動パターンで図柄を変動表示させてその予告停止態様で停止表示させた後、第１の当否抽選の結果を示す図柄組合せで図柄を停止表示させる。これにより、当否抽選の結果が１５Ｒ大当りとなっている可能性を、それ以前に保留された当否抽選値に対応する図柄変動を通じて、３列のリールを用いて予告的に示唆することができる。また、予告停止態様で変動停止させるための変動パターンを、画一的な変動開始を実現可能なものに予め設定することで、遊技者に当否抽選の結果やその後の遊技性などがリールの回転態様から把握されることを回避することができる。
【０１０４】
図１５は、図柄の表示領域２５０および有効ラインを示す図である。本実施形態では、３列のリール２０６とも、３つの図柄が表示できるよう表示領域２５０が設けられている。遊技者は、この表示領域２５０に位置する図柄のみ視認することができる。したがって、表示領域２５０は視認可能領域ということもでき、また、表示領域２５０に表されない領域を視認不可領域ということもできる。
【０１０５】
有効ラインは、いわゆるファイブラインと呼ばれる５本が設けられている。有効ラインは、表示領域２５０の中央に水平に延びる第１有効ラインＬ１、第１有効ラインＬ１の上方で水平に延びる第２有効ラインＬ２、第１有効ラインＬ１の下方で水平に延びる第３有効ラインＬ３を含む。さらに有効ラインは、表示領域２５０の左上から右下に斜めに延びる第４有効ラインＬ４、および表示領域２５０の右上から左下に斜めに延びる第５有効ラインＬ５を含む。
【０１０６】
図１６は、大当り種類と、有効ラインや表示領域２５０全体での図柄の停止態様との対応関係を示す図である。大図柄と、「７７７」の図柄組合せには、確変の１５Ｒ大当りが対応付けられている。「９９９」の図柄組合せには、非確変の１５Ｒ大当りが対応付けられている。「３３３」の図柄組合せには、確変の５Ｒ大当りが対応付けられている。「５５５」の図柄組合せには、非確変の５Ｒ大当りが対応付けられている。「５５３」、「７７５」、「９９７」の図柄組合せには、確変２Ｒ大当りが対応付けられている。なお、大当りの種類と図柄の組合せとの対応関係がこれに限られないことは勿論である。これらの図柄組合せは、図柄抽選値と対応付けられている。当否抽選の結果が大当りの場合、図柄抽選値に対応付けられた図柄組合せが、数字の図柄であれば有効ライン上の停止態様として選択され、大図柄であれば表示領域２５０全体の停止態様として選択される。
【０１０７】
図１７（ａ）は、通常加速パターンの制御の過程を示す説明図であり、図１７（ｂ）は、低加速パターンの制御の過程を示す説明図である。この図ではすでに当否抽選が実行され、メイン基板１０２の変動パターン決定手段１１５で当否抽選に応じた変動パターンが決定された状態から始まる。なお図１８でも同様の状態から始まる。
【０１０８】
図１７（ａ）に示す時刻ｔ１において、リール動作決定手段１３３は変動パターン決定手段１１５により決定された変動パターンに応じた動作パターンを決定する。時刻ｔ２において、停止状態判定手段１３７は、動作パターンにリール２０６の一時停止動作が含まれるか判定し、一時停止動作が含まれると判定すると、動作パターンから導出したリール２０６の停止時間と基準時間を比較する。この例ではリール２０６の停止時間は基準時間以上であると判定され、時刻ｔ５のリール２０６の再始動時にリール２０６の振動が所定値以下に収まっていると推定される。
【０１０９】
時刻ｔ３において、リール制御手段１３５はリール２０６の変動を開始し、時刻ｔ４において、動作パターンにもとづいてリール２０６を一時停止する。時刻ｔ５において、リール２０６を通常加速パターンにて再始動させ、時刻ｔ６において、リール２０６が目標回転速度となり、加速制御を終える。
【０１１０】
時刻ｔ６からリール制御手段１３５は、図柄の位置補正を開始し、時刻ｔ７において図柄の位置補正を終える。図柄の位置補正は、回転中の所定の図柄の位置と基準位置とのずれを補正するため、リール２０６が目標回転速度に到達してから実行される。時刻ｔ７のあとリール２０６の変動停止準備を開始し、時刻ｔ８において動作パターンにもとづいてリール２０６の変動を停止する。これにより目標回転速度に素早く到達させることができ、リール２０６の図柄を位置補正する処理を低加速パターンを実行する場合より早く開始でき、いっそう短い時間で演出を実行できる。また位置補正する処理の設計に時間的余裕を持たして、図柄の位置ずれの調整を遊技者に気付かれないような態様で実行できる。
【０１１１】
次に図１７（ｂ）に示す時刻ｔ１１において、リール動作決定手段１３３は変動パターン決定手段１１５により決定された変動パターンに応じた動作パターンを決定する。次に時刻ｔ１２において、停止状態判定手段１３７は、動作パターンにリール２０６の一時停止動作が含まれるか判定する。停止状態判定手段１３７は、一時停止動作が含まれると判定すると、動作パターンから導出したリール２０６の停止時間と基準時間を比較する。この例ではリール２０６の停止時間は基準時間未満であると判定され、時刻ｔ５のリール２０６の再始動時にリール２０６が所定値以上に振動していると推定される。
【０１１２】
時刻ｔ１３において、リール制御手段１３５はリール２０６の変動を開始し、時刻ｔ１４において、動作パターンにもとづいてリール２０６を一時停止する。時刻ｔ１５において、リール２０６を低加速パターンにて再始動させ、時刻ｔ１６において、リール２０６が目標回転速度となり、加速制御を終える。これによりリール２０６の脱調を抑えることができる。通常加速パターンの時刻ｔ５〜ｔ６の時間と比べて、低加速パターンの時刻ｔ１５〜ｔ１６の時間は長くなる。
【０１１３】
時刻ｔ１６からリール制御手段１３５は、図柄の位置補正を開始し、時刻ｔ１７において図柄の位置補正を終える。時刻ｔ１７のあとリール２０６の変動停止準備を開始し、時刻ｔ１８において停止図柄決定手段１３１により決定された停止図柄にもとづいてリール２０６の変動を停止する。
【０１１４】
図１７（ａ）および（ｂ）では図柄を位置補正する処理、時刻ｔ６〜ｔ７の時間と、時刻ｔ１６〜ｔ１７の時間を同じにしている。このとき通常の加速制御パターンより到達時間が遅れた分は、図柄を位置補正する処理に吸収されてよい。すなわち、リール２０６を低加速パターンで再始動した場合、リール制御手段１３５は通常加速パターンの時刻ｔ６〜ｔ７の時間と比べて短い時間（時刻ｔ１６〜ｔ１７の時間）で完了する位置補正する処理を実行してよい。すなわち、リール制御手段１３５は、加速制御パターンに応じて処理時間の異なる位置補正処理を選択し、通常加速パターンを実行する場合に第１図柄位置補正処理を実行し、低加速パターンを実行する場合には、第１図柄位置補正処理より短時間で行われる第２位置補正処理を実行する。
【０１１５】
図１８は、操作入力に応じて切り替えられる加速制御の過程を示す説明図である。すでにリール２０６が一時的に停止する動作の一つとして疑似連演出の仮停止を説明したが、ここではその変形例を説明する。変形例の特殊疑似連演出では、疑似連演出の仮停止を、遊技者の操作入力の有無に応じて実行する。すなわち疑似連演出の発生条件が満たされることに加えて、遊技者の操作入力があった場合に、リール２０６が一時的に停止され、特殊疑似連演出が継続される。遊技者の操作入力によって一時停止する期間が可変する点が、動作パターンに予め定められたリール２０６の停止時間と異なり、動的にリールの停止状態を判定する必要がある。なお、特殊疑似連演出以外においても、所定の動作時に遊技者の操作入力の有無に応じてリール２０６が一時的に停止されてもよく、たとえば所定のスペシャルリーチの演出中に遊技者に操作入力が要求され、遊技者の操作入力の有無に応じてリール２０６が一時的に停止されてもよい。また通常の疑似連演出では、遊技者の操作入力の有無によらず、予め定められた動作パターンの通りリール２０６を一時的に停止させる。
【０１１６】
リール制御手段１３５は、操作ボタン８２が操作入力を受け付けたことに応じてリール２０６の回転を一時的に停止させる。リール２０６を一時的に停止する時間は操作入力に応じて可変であるが、リール２０６を再始動する時間は停止前に予め定められる。停止状態判定手段１３７は、リール２０６が一時停止する期間を算出し、算出した期間をもとに第１停止状態または第２停止状態であるかを判定する。これにより遊技者の介入により表示する演出を含めることができ、演出の興趣を高めることができる。また、リール２０６の一時停止期間が可変であっても時間値によりリール２０６の停止状態を判定できる。
【０１１７】
具体的に、図１８に示す時刻ｔ２１において、リール動作決定手段１３３は変動パターン決定手段１１５により決定された変動パターンに応じた動作パターンを決定する。次に時刻ｔ２２において、停止状態判定手段１３７は、動作パターンにリール２０６の一時停止動作が含まれるか判定する。この例では、特殊疑似連演出が動作パターンに含まれるため、一時停止動作が含まれると判定される。なお、動作パターンから他の一時停止動作の停止時間が導出できる場合、このタイミングで停止状態判定手段１３７によりリール２０６の停止状態が判定される。
【０１１８】
時刻ｔ２３において、リール制御手段１３５はリール２０６の変動を開始する。時刻ｔ２４から、演出実行手段１３４は遊技者に操作入力を要求し、回転を停止させるよう要求する操作入力演出を実行する。この入力期間は、所定時間経過すれば終了する。所定の発生条件を満たす場合に操作入力があれば、リール２０６の回転を一時停止して特殊疑似連演出が継続される。入力期間中に操作入力がなければリール２０６を一時停止することなく特殊疑似連演出を終了し、リール２０６の変動演出を継続する。時刻ｔ２５において遊技者が操作ボタン８２を押して入力が受け付けられ、リール制御手段１３５は、操作入力に応じてリール２０６の一時停止動作を実行する。なお、リール制御手段１３５は、操作入力があれば特定の図柄、たとえば特殊疑似連演出の継続を示す特定の図柄を有効ライン上に停止してよい。また、リール制御手段１３５は遊技者の操作入力をトリガーとして操作入力がなされたときから所定の時間経過した後、または図柄を所定の距離移動させた後、リール２０６を停止してよい。
【０１１９】
時刻ｔ２６において、停止状態判定手段１３７は、リール２０６の停止時間を算出して停止状態を判定する。具体的に、リール２０６の再始動する時刻は操作入力演出を実行するときに予め定められており、停止状態判定手段１３７は再始動時刻から一時停止時刻を減算してリール２０６の停止時間を算出する。そして停止状態判定手段１３７は算出した停止時間が基準時間未満であるか判定する。時刻ｔ２６の場合は停止時間が基準時間以上であると判定され、再始動時にリール２０６の振動が収まっていると推定される。
【０１２０】
時刻ｔ２７において、リール制御手段１３５は、リール２０６を通常加速パターンにて再始動させ、時刻ｔ２８において、リール２０６が目標回転速度となり、加速制御を終え、目標回転速度が維持される。時刻ｔ２９において、特殊疑似連演出が継続し、再び入力期間が開始し、時刻ｔ３０において遊技者の操作入力を受ける。リール制御手段１３５は操作入力に応じてリール２０６を一時的に停止し、時刻ｔ３１において、停止状態判定手段１３７はリール２０６の停止時間を算出して停止状態を判定する。時刻ｔ３１の場合は停止時間が基準時間未満であると判定され、リール２０６の再始動時にリール２０６が振動していると推定される。
【０１２１】
時刻ｔ３２において、リール制御手段１３５は、リール２０６を低加速パターンにて再始動させ、時刻ｔ３３において、リール２０６が目標回転速度となり、加速制御を終え、目標回転速度が維持される。これによりリール２０６を一時的に停止時間が可変であっても、リール２０６の停止時間を動的に算出してリール２０６の停止状態を判定し、停止状態に応じた適切な加速制御を実行して、リール２０６の脱調を抑えることができる。
【０１２２】
時刻ｔ３４において、疑似連演出が継続し、再び入力期間が開始する。入力期間中に遊技者が操作入力をしなかったため時刻ｔ３５において入力期間が終了し、リール２０６は停止することなく回転する。これにより特殊疑似連演出（リーチ予告演出）は終了し、リーチ演出が開始する。そして時刻ｔ３６において停止図柄決定手段１３１により決定された停止図柄にもとづいて一連のリール２０６の変動を停止する。このように遊技者の操作入力が入力期間内に無い場合、リール制御手段１３５はリール２０６を一時的に停止しないが、変形例では、遊技者の操作入力が入力期間内に無い場合、リール制御手段１３５は入力期間が終了した直後にリール２０６を強制的に一時的に停止してよい。この変形例の場合、強制的に一時的に停止される停止時間は基準時間未満に設定され、停止状態判定においてリール２０６の再始動時にリール２０６が振動していると推定され、リール制御手段１３５はリール２０６を低加速パターンにて再始動させる。
【０１２３】
なお、上記では、遊技者の操作入力が有って特殊疑似連演出の所定の発生条件を満たしている場合、遊技者の操作入力が無く特殊疑似連演出の所定の発生条件を満たしている場合を説明したが、これ以外の態様についても説明する。まず、遊技者に操作入力が要求されて入力期間内に操作入力が有った場合、特殊疑似連演出の所定の発生条件を満たしていなければ、リール２０６は一時的に停止されない。そして、操作入力を要求する特殊疑似連演出のフェイク演出、または特殊疑似連演出が継続中であれば特殊疑似連演出が終了し、リール２０６の変動演出が継続される。次に、遊技者に操作入力が要求されて入力期間内に操作入力が無い場合で特殊疑似連演出の所定の発生条件を満たしていない場合、リール２０６は一時的に停止されない。そして、操作入力を要求する特殊疑似連演出のフェイク演出、または特殊疑似連演出が継続中であれば特殊疑似連演出が終了し、リール２０６の変動演出が継続される。
【０１２４】
図１９は、ぱちんこ遊技機における基本的な動作過程を示すフローチャートである。まず、遊技球が始動口６２、一般入賞口７２、大入賞口６６などへ入球した場合の処理を実行し（Ｓ１０）、通常遊技中であれば（Ｓ１２のＹ）、当否抽選などの通常遊技の制御処理を実行し（Ｓ１４）、通常遊技中でなければ（Ｓ１２のＮ）、特別遊技の制御処理（Ｓ１６）や、小当り遊技の制御処理を実行し（Ｓ１７）、Ｓ１０の入賞処理においてセットされた賞球数により各種の入賞に応じた賞球払出を処理する（Ｓ１８）。
【０１２５】
図２０は、図１９におけるＳ１０の入賞処理を詳細に示すフローチャートである。始動口６２に入球があった場合（Ｓ２０のＹ）、始動口６２に対応する賞球数をセットし（Ｓ２２）、保留制御手段１１６による保留数が４未満であるか否かを参照してさらなる保留が可能な状態であれば（Ｓ２４のＹ）、当否抽選値を取得する（Ｓ２６）。その当否抽選値に基づいて当否判定する事前判定処理を実行し（Ｓ２８）、当否抽選値を保留制御手段１１６に保留する（Ｓ３０）。Ｓ２０において始動口６２への入球がない場合はＳ２２からＳ３０までの処理をスキップする（Ｓ２０のＮ）。Ｓ２４において保留数が上限に達していてさらなる保留が不可能な場合はＳ２６からＳ３０までの処理をスキップする（Ｓ２４のＮ）。
【０１２６】
一般入賞口７２に入球があった場合は（Ｓ３２のＹ）、一般入賞口７２に対応する賞球数をセットし（Ｓ３４）、一般入賞口７２への入球がないときはＳ３４をスキップする（Ｓ３２のＮ）。大入賞口６６に入球があった場合は（Ｓ３６のＹ）、大入賞口６６に対応する賞球数をセットし（Ｓ３８）、大入賞口６６への入球がないときはＳ３８をスキップする（Ｓ３６のＮ）。
【０１２７】
図２１は、図２０におけるＳ２８の事前判定処理を詳細に示すフローチャートである。まず、事前当否判定テーブルを参照して事前当否判定を実行し（Ｓ４０）、その判定結果として当否範囲を示す値を設定し（Ｓ４２）、事前図柄判定テーブルを参照して事前図柄判定を実行し（Ｓ４４）、その判定結果として図柄範囲を示す値を設定し（Ｓ４６）、事前パターン判定テーブルを参照して事前パターン判定を実行し（Ｓ４８）、その判定結果としてパターン範囲を示す値を設定する（Ｓ５０）。
【０１２８】
図２２は、図１９におけるＳ１４の通常遊技制御処理の全体的な過程を示すフローチャートである。停止図柄決定手段１３１は、図柄の変動開始済みか否かを判定する（Ｓ６０）。変動開始済みの場合（Ｓ６０のＹ）、次に演出実行手段１３４は、変動表示処理を実行したまま（Ｓ６４）、停止タイミングか否かを判定する（Ｓ６６）。停止タイミングの場合（Ｓ６６のＹ）、演出実行手段１３４は、決定された停止図柄の組合せで図柄を変動停止させる（Ｓ６８）。停止タイミングでない場合（Ｓ６６のＮ）、Ｓ６８はスキップされ、図柄の変動表示が継続される。
【０１２９】
変動開始済みでない場合（Ｓ６０のＮ）、演出実行手段１３４は、保留されている当否抽選値があるか否かを判定する（Ｓ７０）。保留されている当否抽選値がない場合（Ｓ７０のＮ）、以下のＳ７２〜Ｓ７８の処理はスキップされる。保留されている当否抽選値がある場合（Ｓ７０のＹ）、演出実行手段１３４は、動作パターン決定処理を実行する（Ｓ７２）。動作パターン決定処理されると、停止図柄決定手段１３１は、停止図柄決定処理を実行する（Ｓ７４）。停止図柄決定処理されると、停止状態判定手段１３７は、停止状態判定処理を実行する（Ｓ７６）。
【０１３０】
図２３は、停止状態判定処理を示すフローチャートである。停止状態判定手段１３７は、リール動作決定手段１３３により決定された動作パターンにリール２０６を一時停止する動作が含まれるか判定する（Ｓ７８）。動作パターンにリール２０６を一時停止する動作が含まれない場合（Ｓ７８のＮ）、停止状態判定処理を終了する。
【０１３１】
動作パターンにリール２０６を一時停止する動作が含まれる場合（Ｓ７８のＹ）、停止状態判定手段１３７はその動作パターンからリール２０６の一時停止時間を導出し（Ｓ７９）、一時停止時間が基準時間未満であるか判定する（Ｓ８０）。一時停止時間が基準時間以上である場合（Ｓ８０のＮ）、停止状態判定処理を終了する。一時停止時間が基準時間未満である場合（Ｓ８０のＹ）、停止状態判定手段１３７は低加速フラグをオンし（Ｓ８１）、停止状態判定処理を終了する。
【０１３２】
図２４は、リール２０６の変動表示処理を示すフローチャートである。リール制御手段１３５は、リール２０６が一時停止中か判定する（Ｓ２００）。リール２０６が一時停止中でなければ（Ｓ２００のＮ）、リール制御手段１３５はリール動作決定手段１３３により決定された動作パターンにもとづいて一時停止タイミングであるか判定する（Ｓ２０２）。一時停止タイミングでなければ（Ｓ２０２のＮ）、変動表示処理を終了する。一時停止タイミングであれば（Ｓ２０２のＹ）、リール制御手段１３５はリール２０６を一時停止し（Ｓ２０４）、変動表示処理を終了する。
【０１３３】
リール２０６が一時停止中であれば（Ｓ２００のＹ）、リール制御手段１３５は再始動タイミングであるか判定し（Ｓ２０６）、再始動タイミングでなければ（Ｓ２０６のＮ）、変動表示処理を終了する。
【０１３４】
再始動タイミングであれば（Ｓ２０６のＹ）、リール制御手段１３５は低加速フラグがオンであるか判定する（Ｓ２０８）。低加速フラグがオンであれば（Ｓ２０８のＹ）、リール制御手段１３５は低加速パターンでリール２０６を再始動し（Ｓ２１０）、低加速フラグをオフし（Ｓ２１２）、変動表示処理を終了する。一方、低加速フラグがオンでなければ（Ｓ２０８のＮ）、リール制御手段１３５は通常加速パターンでリール２０６を再始動し（Ｓ２１４）、変動表示処理を終了する。
【０１３５】
図２５は、図２６におけるＳ１６の特別遊技制御処理を詳細に示すフローチャートである。当否抽選の結果が大当りであった場合（Ｓ９０のＹ）、すでに特別遊技が開始済みであって（Ｓ９２のＹ）、大入賞口６６が開放済でなければ（Ｓ９８のＮ）、大入賞口６６の開放処理を実行する（Ｓ１００）。このとき、設定された大当り演出の表示も開始する。大入賞口６６が開放済みであれば（Ｓ９８のＹ）、大入賞口６６の閉鎖処理を実行する（Ｓ１０２）。その結果、大入賞口６６が閉鎖状態になっていれば（Ｓ１０４のＹ）、Ｓ１０６へ移行する。閉鎖状態でなければ（Ｓ１０４のＮ）、Ｓ１０６以降の処理をスキップして本処理を一旦終了する。一方、Ｓ９２において特別遊技が開始済みでない場合は（Ｓ９２のＮ）、特別遊技を開始して（Ｓ９４）、その開始デモ演出の表示を開始し（Ｓ９６）、本処理を一旦終了する。
【０１３６】
Ｓ１０６においては、特別遊技中の演出であるデモ演出中であるか否かを判定する。なお、ここでいう「デモ演出」は、開始デモ演出および終了デモ演出を含む。デモ演出中でなければ（Ｓ１０６のＮ）、後述する終了フラグを参照して特別遊技終了条件が満たされるか否かを判定し（Ｓ１１０）、特別遊技終了条件が満たされていれば（Ｓ１１０のＹ）、その終了フラグをオフにしたうえで（Ｓ１１２）、終了デモ演出の表示を開始する（Ｓ１１４）。特別遊技終了条件が満たされていなければ（Ｓ１１０のＮ）、本処理を一旦終了する。Ｓ１０６にてデモ演出中であると判定され（Ｓ１０６のＹ）、終了デモ演出が終了した場合（Ｓ１１６のＹ）、特別遊技を終了し（Ｓ１１８）、特定遊技、すなわち確変、時短、および入球容易状態を開始する（Ｓ１２０）。終了デモ演出が終了していない場合は（Ｓ１１６のＮ）、Ｓ１１８およびＳ１２０の処理をスキップする。大当りでない場合は（Ｓ９０のＮ）、本図のＳ９２以降のフローをスキップする。
【０１３７】
図２６は、図２５におけるＳ１００の開放処理を詳細に示すフローチャートである。設定された開閉パターンに基づく大入賞口６６の開放タイミングとなったとき（Ｓ１２２のＹ）、開閉制御手段１２４は、通過フラグを一律にオフにするとともに開閉パターンの動作を設定し（Ｓ１２４）、大入賞口６６を開放させる（Ｓ１２６）。また、現在の単位遊技の繰り返し回数に対応した大当り演出、または繰り返し回数が異なる回数になることに対応した大当り演出を設定して開始する。開放タイミングでないときは（Ｓ１２２のＮ）、Ｓ１２４およびＳ１２６の処理をスキップする。
【０１３８】
図２７は、図２５におけるＳ１０２の閉鎖処理を詳細に示すフローチャートである。設定された開閉パターンに基づく大入賞口６６の閉鎖タイミングとなったとき、開閉制御手段１２４は大入賞口６６を閉鎖させる。すなわち、特別遊技中において、入球数による終了条件が満たされるか（Ｓ１３０のＹ）、入球数による終了条件が満たされなくとも（Ｓ１３０のＮ）、開放時間による終了条件が満たされれば（Ｓ１３２のＹ）、大入賞口６６を閉鎖する（Ｓ１３４）。開放時間による終了条件も満たされなければ（Ｓ１３２のＮ）、Ｓ１３４以降のフローをスキップする。
【０１３９】
なお、１５Ｒ大当りにおける入球数による終了条件は大入賞口６６への１０球以上の入球であり、開放時間による終了条件は、大入賞口６６の開放開始から開閉パターンに沿った設定時間の経過である。１５Ｒ大当りの場合は、その開放開始から３０秒の経過であり、２Ｒ大当りの場合は、その開放開始から０．５秒の経過である。ただし、０．５秒の開放は極めて短いため、１０球以上の入球はもちろん、入球そのものが困難である。その大入賞口の開放と同時に遊技球を打ち出したとしても入球困難であるため、大入賞口６６の極短開放が行われる２Ｒ大当りについては、大入賞口６６の開放前にその開放を予測して遊技球を打ち出す必要がある。一方、１５Ｒ大当りにおける入球数による終了条件は大入賞口への１０球以上の入球であり、開放時間による終了条件は、大入賞口６６の開放開始から３０秒の経過である。このとき、継続上限回数に達していれば（Ｓ１３６のＹ）、終了フラグをオンにする（Ｓ１３８）。継続上限回数に達していなければ（Ｓ１３６のＮ）、Ｓ１３８の処理をスキップする。本実施形態においてこの継続上限回数は１５回である。入球数による終了条件および開放時間による終了条件のいずれも満たされていなければ（Ｓ１３０のＮ、Ｓ１３２のＮ）、Ｓ１３４以降の処理をスキップする。
【０１４０】
図２８は、図２６におけるＳ１７の小当り遊技制御処理を詳細に示すフローチャートである。当否抽選の結果が小当りであった場合（Ｓ１５０のＹ）、既に小当り遊技が開始済みであって（Ｓ１５２のＹ）、大入賞口６６が開放済でなければ（Ｓ１５８のＮ）、大入賞口６６の開放処理を実行し（Ｓ１６０）、開放済みであれば（Ｓ１５８のＹ）、大入賞口６６の閉鎖処理を実行する（Ｓ１６２）。その結果、大入賞口６６が閉鎖状態になっていれば（Ｓ１６４のＹ）、Ｓ１６６へ移行する。閉鎖状態でなければ（Ｓ１６４のＮ）、Ｓ１６６以降の処理をスキップして本処理を一旦終了する。一方、Ｓ１５２において小当り遊技が開始済みでない場合は（Ｓ１５２のＮ）、小当り遊技を開始して（Ｓ１５４）、２Ｒ大当りと同様の開始デモ演出の表示を開始し（Ｓ１５６）、本処理を一旦終了する。
【０１４１】
Ｓ１６６においては、小当り遊技中の演出であるデモ演出中であるか否かを判定する。デモ演出中でなければ（Ｓ１６６のＮ）、小当り遊技終了条件が満たされたか否かを判定する。ここでは、後述する終了フラグがオンになっていれば、小当り遊技終了条件が満たされることになる。小当り遊技終了条件が満たされていれば（Ｓ１７０のＹ）、その終了フラグをオフにしたうえで（Ｓ１７２）、終了デモ演出の表示を開始する（Ｓ１７４）。小当り遊技終了条件が満たされていなければ（Ｓ１７０のＮ）、本処理を一旦終了する。Ｓ１６６にてデモ演出中であると判定され（Ｓ１６６のＹ）、終了デモ演出が終了した場合（Ｓ１７６のＹ）、小当り遊技を終了する（Ｓ１７８）。終了デモ演出が終了していない場合は（Ｓ１７６のＮ）、Ｓ１７８の処理をスキップする。小当りでない場合は（Ｓ１５０のＮ）、本図のＳ１５２以降のフローをスキップする。
【０１４２】
図２９は、図２８におけるＳ１６０の開放処理を詳細に示すフローチャートである。設定された開閉パターンに基づく大入賞口６６の開放タイミングとなったとき（Ｓ１８０のＹ）、開閉制御手段１２４は、開閉パターンの動作を設定し（Ｓ１８２）、大入賞口６６の開放を開始する（Ｓ１８４）。開放タイミングでないときは（Ｓ１８０のＮ）、Ｓ１８２およびＳ１８４の処理をスキップする。
【０１４３】
図３０は、図２８におけるＳ１６２の閉鎖処理を詳細に示すフローチャートである。設定された開閉パターンに基づく大入賞口６６の終了タイミングとなったとき（Ｓ１９０のＹ）、終了フラグをオンにし（Ｓ１９２）、大入賞口６６を閉鎖する（Ｓ１９４）。なお、この閉鎖タイミングは、大入賞口６６の開放開始から０．５秒の経過したタイミングである。閉鎖タイミングでなければ（Ｓ１９０のＮ）、Ｓ１９２およびＳ１９４の処理をスキップする。
【０１４４】
以上、本発明を実施形態に基づいて説明した。この実施形態はあくまで例示であり、それらの各構成要素や各処理プロセスの組合せにいろいろな変形例が可能なこと、またそうした変形例も本発明の範囲にあることは当業者に理解されるところである。
【０１４５】
たとえば、低加速制御は、複数のリール２０６のうち、最後に停止するリール２０６にのみ実行されてよい。最後に停止される中リール装置２０３に停止状態判定処理および加速制御パターンの切り替えが実行され、左リール装置２０１および右リール装置２０５は、常に通常の加速パターンが適用されてよい。
【０１４６】
また、実施形態では加速制御パターンの切り替えの判断基準に、リール２０６の停止時間を用いたが、これに加えてリール２０６の目標回転速度を判断基準に用いてよい。すなわち、リール２０６の停止時間に加えて、リール２０６の一時停止前の目標回転速度および一時停止後の目標回転速度の少なくとも一方にもとづいて、加速制御パターンの切り替えを実行する。
【０１４７】
また、実施形態ではリール２０６の停止状態判定処理として時間を基準に判定する手段を示したが、これに限られない。たとえば、リール２０６の振動を検出するセンサを用いて検出し、振幅が所定値以下であるかどうか判定してよい。
【０１４８】
また、実施形態ではリール２０６の停止状態判定処理として、基準時間を一つ用いて２種類のリール２０６の停止状態を判定したが、その態様に限られない。たとえば停止状態判定手段１３７は２つ以上の基準時間を用いて、リール２０６の停止状態を段階的に細かく判定してもよい。また、加速制御パターン記憶手段１３６はそれらの停止状態に応じた加速制御パターンをそれぞれ保持してよい。停止状態判定手段１３７は複数の基準時間を用いて３種類以上の停止状態のうちいずれであるか判定する。そしてリール制御手段１３５は判定された各停止状態に応じた加速制御を実行する。これにより、停止状態に応じていっそう適切な加速制御を実行できる。また加速制御パターンの種類を多く記憶する場合、それらの制御パターンを関数で記憶することで、データ量を減らすことができる。
【０１４９】
また、ぱちんこ遊技機１０の経年的な変化で、モータ２１７が脱調しやすくなるおそれがある。そこで、脱調頻度が高くなった場合、より短い基準時間に切り替えてよい。たとえば、リール２０６の一時停止の回数と脱調回数とにより脱調頻度を算出し、算出した脱調頻度が所定の閾値以上である場合に、基準時間が切り替えられる。また所定期間経過すれば基準時間が切り替えられてもよい。新品のぱちんこ遊技機１０には、第１基準時間を用いてリール２０６の停止状態判定処理が実行され、所定期間駆動したぱちんこ遊技機１０には、第１基準時間より短い第２基準時間を用いてリール２０６の停止状態判定処理が実行される。これにより、いっそうモータ２１７の脱調を抑えることができる。また、経時的に基準時間を切り替えるのみならず、加速制御パターンを切り替えてよい。すなわち脱調頻度が所定の閾値より高い場合、リール制御手段１３５は、通常の加速制御パターンから低加速の加速制御パターンに切り替える。これにより、いっそうモータ２１７の脱調を抑えることができる。
【符号の説明】
【０１５０】
１０  ぱちんこ遊技機、  １１  外枠、  １２  前枠、  １３  透明板、  １４  扉、  １５  上球皿、  １６  下球皿、  １７  発射ハンドル、  １８  スピーカ、  ２０  特別図柄保留表示装置、  ２１  パターン抽選値、  ２２  普通図柄保留表示装置、  ３９  裏セット機構、  ４０  電源スイッチ、  ４３  払出ユニット、  ４４  賞球タンク、  ４５  払出制御基板、  ４６  発射装置、  ４７  発射制御基板、  ４８  電源ユニット、  ５０  遊技盤、  ５２  遊技領域、  ５４  外レール、  ５６  内レール、  ５８  アウト口、  ５９  普通図柄表示装置、  ６０  リールユニット、  ６１  特別図柄表示装置、  ６２  始動口、  ６３  拡開機構、  ６４  センター飾り、  ６６  大入賞口、  ６８  作動口、  ６９  通過検出装置、  ７２  一般入賞口、  ７３  一般入賞検出装置、  ７４  始動入賞検出装置、  ７６  普通電動役物ソレノイド、  ７８  入賞検出装置、  ８０  大入賞口ソレノイド、  ８２  操作ボタン、  ９０  遊技効果ランプ、  ９２  ＲＡＭクリアスイッチ、  １００  遊技制御装置、  １０２  メイン基板、  １０４  サブ基板、  １１０  入球判定手段、  １１２  当否抽選手段、  １１４  図柄決定手段、  １１５  変動パターン決定手段、  １１６  保留制御手段、  １１８  メイン表示制御手段、  １２０  特別遊技制御手段、  １２１  パターン抽選値、  １２２  特定遊技実行手段、  １２３  パターン抽選値、  １２４  開閉制御手段、  １２６  メイン状態記憶手段、  １３０  動作パターン記憶手段、  １３１  停止図柄決定手段、  １３２  演出決定手段、  １３３  リール動作決定手段、  １３４  演出実行手段、  １３５  リール制御手段、  １３６  加速制御パターン記憶手段、  １３７  停止状態判定手段、  １９１  左図柄、  １９２  特別図柄、  １９３  中図柄、  １９５  右図柄、  ２００  ケース、  ２０１  左リール装置、  ２０３  中リール装置、  ２０５  右リール装置、  ２０６  リール、  ２０６ａ  左リール、  ２０６ｂ  中リール、  ２０６ｃ  右リール、  ２０７  リール本体、  ２０８  リールテープ、  ２１０  変動パターンテーブル、  ２１１  開口部、  ２１２  第１欄、  ２１３  ベース部材、  ２１４  第２欄、  ２１５  位置検出センサ、  ２１６  第３欄、  ２１７  モータ、  ２１８  第４欄、  ２１９  バックライト、  ２２０  梁、  ２２１  円筒軸、  ２３１，２３２，２３３  被検出部材、  ２３４  アーム、  ２３５  検出片、  ２５０  表示領域。
【図１】
2013172794.tif 000003
【図２】
2013172794.tif 000004
【図３】
2013172794.tif 000005
【図４】
2013172794.tif 000006
【図５】
2013172794.tif 000007
【図６】
2013172794.tif 000008
【図７】
2013172794.tif 000009
【図８】
2013172794.tif 000010
【図９】
2013172794.tif 000011
【図１０】
2013172794.tif 000012
【図１１】
2013172794.tif 000013
【図１２】
2013172794.tif 000014
【図１３】
2013172794.tif 000015
【図１４】
2013172794.tif 000016
【図１５】
2013172794.tif 000017
【図１６】
2013172794.tif 000018
【図１７】
2013172794.tif 000019
【図１８】
2013172794.tif 000020
【図１９】
2013172794.tif 000021
【図２０】
2013172794.tif 000022
【図２１】
2013172794.tif 000023
【図２２】
2013172794.tif 000024
【図２３】
2013172794.tif 000025
【図２４】
2013172794.tif 000026
【図２５】
2013172794.tif 000027
【図２６】
2013172794.tif 000028
【図２７】
2013172794.tif 000029
【図２８】
2013172794.tif 000030
【図２９】
2013172794.tif 000031
【図３０】
2013172794.tif 000032